(57)【要約】【課題】セキュリティレベルを引き上げることができる鍵管理ボックスを提供すること。【解決手段】個人認証を行う認証手段（Ｓ１）と、個人認証に成功した場合に（Ｓ１：Ｙｅｓ）、開閉扉３１の開閉を許可する開閉許可手段（Ｓ４）と、扉ロック部２７が開閉扉３１の開閉を許可した後、複数のＩＣタグデータ読み取り手段４２にＩＣタグデータを読み取らせ、ホルダ２の有無を検知するホルダ有無検知手段（Ｓ８）と、ホルダ有無検知手段が無いと判断したホルダ２の検出不能なＩＣタグデータを、アクセス権記憶手段４８に記憶されているアクセス権に照合し、検出不能なＩＣタグデータが、認証手段３２が読み取った認証データに対応する１又は２以上のＩＣタグデータに含まれていない場合に、認証手段３２が読み取った認証データを記憶する異常検知情報記憶手段（Ｓ１３）とを有する。【選択図】図５
2011214347.tif 000002
【特許請求の範囲】
【請求項１】
２本の端子を備えるＩＣタグを有し、前記２本の端子を前記ＩＣタグを介して接続する導電部材に複数のメカニカルな鍵が取り付けられた複数のホルダと、前記複数のホルダが各々装着される複数のホルダ装着孔を備える本体と、前記複数のホルダ装着孔に各々設けられ、前記２本の端子に接触して前記ＩＣタグからＩＣタグデータを読み取る複数のＩＣタグデータ読み取り手段とを有し、前記導電部材が切断された場合に、前記ＩＣタグデータ読み取り手段が前記ＩＣタグから前記ＩＣタグデータを読み取れなくなり、前記ホルダの異常を検知する鍵管理ボックスにおいて、
前記本体に開閉可能に保持され、前記ホルダ装着孔を開放する開閉扉と、
認証媒体から認証データを読み取って個人認証を行う認証手段と、
前記認証手段が前記個人認証に成功した場合に、前記開閉扉の開閉を許可する開閉許可手段と、
１又は２以上の前記ＩＣタグデータに前記認証データを関連付けて、使用者が１又は２以上の前記ホルダを使用するアクセス権を記憶するアクセス権記憶手段と、
前記開閉許可手段が前記開閉扉の開閉を許可した後、前記複数のＩＣタグデータ読み取り手段に前記ＩＣタグデータを読み取らせ、前記ホルダの有無を検知するホルダ有無検知手段と、
前記ホルダ有無検知手段が無いと判断したホルダの検出不能なＩＣタグデータを、前記アクセス権記憶手段に記憶されている前記アクセス権に照合し、前記検出不能なＩＣタグデータが、前記認証手段が読み取った前記認証データに対応する前記１又は２以上のＩＣタグデータに含まれていない場合に、前記認証手段が読み取った前記認証データを記憶する異常検知情報記憶手段と
を有することを特徴とする鍵管理ボックス。
【請求項２】
請求項１に記載する鍵管理ボックスにおいて、
前記開閉扉の開閉を検知する開閉検知手段を有し、
前記ホルダ有無検知手段は、前記開閉検知手段が前記開閉扉の閉状態を検知した後に、前記複数のＩＣタグデータ読み取り手段に前記ＩＣタグデータを読み取らせ、前記ホルダの有無を検知する
ことを特徴とする鍵管理ボックス。
【請求項３】
請求項１又は請求項２に記載する鍵管理ボックスにおいて、
貸し出されたホルダのＩＣタグデータを、貸出時に前記認証手段が読み取った貸出時認証データに関連付けて記憶するホルダ貸出情報記憶手段を有し、
前記開閉許可手段は、前記ホルダの返却時に前記認証手段が読み取った返却時認証データを前記ホルダ貸出情報記憶手段に照合し、前記返却時認証データが前記貸出時認証データに一致する場合に、前記開閉扉の開閉を許可する
ことを特徴とする鍵管理ボックス。
【請求項４】
請求項１又は請求項２に記載する鍵管理ボックスにおいて、
前記ホルダと前記ホルダ装着孔が一対一の関係であり、
前記複数のホルダ装着孔に各々設けられて前記ホルダをロックするホルダロック手段と、
前記認証手段が個人認証に成功した場合に、前記個人認証に成功した使用者が前記アクセス権を有する前記ホルダのロックを、前記ホルダロック手段に解除させるホルダロック解除手段と、を有する
ことを特徴とする鍵管理ボックス。
【請求項５】
請求項１乃至請求項４の何れか１つに記載する鍵管理ボックスにおいて、
前記個人認証に成功した使用者がアクセス権を有しないホルダのＩＣタグデータを前記ＩＣタグデータ読み取り手段が読み取らなくなった場合に、異常を警告する異常警告手段を有する
ことを特徴とする鍵管理ボックス。
【請求項６】
請求項１乃至請求項５の何れか１つに記載する鍵管理ボックスにおいて、
前記ホルダは、
前記ホルダに挿入された前記導電部材の一端を前記２本の端子の一方に接続させる第１導電用端子と、
前記ホルダに挿入された前記導電部材の他端を前記２本の端子の他方に接続させる第２導電用端子と、
前記導電部材が前記ホルダに挿入される挿入経路上にそれぞれ配置され、挿入方向と逆方向への力が前記導電部材に作用した場合に前記導電部材を係止して、前記導電部材と前記導電用端子部材との接触状態を維持する係止部とを内蔵する
ことを特徴とする鍵管理ボックス。
【請求項７】
請求項１乃至請求項５の何れか１つに記載する鍵管理ボックスにおいて、
前記ホルダは、
前記ホルダに挿入された前記導電部材の一端を前記２本の端子の一方に接続させる第１導電用端子と、
前記ホルダに挿入された前記導電部材の他端を前記２本の端子の他方に接続させる第２導電用端子と、
前記ホルダに挿入される前記導電部材の一方の端部を固定する固定部と、
前記ホルダに挿入される前記導電部材の他方の端部が前記ホルダに挿入される挿入経路上に配置され、挿入方向と逆方向への力が前記導電部材に作用した場合に前記導電部材を係止して、前記導電部材と前記導電用端子部材との接触状態を維持する係止部とを内蔵する
ことを特徴とする鍵管理ボックス。
【請求項８】
請求項１乃至請求項５の何れか１つに記載する鍵管理ボックスにおいて、
前記ホルダは、
前記導電部材が、ＩＣタグを内蔵する導電性のあるラックであり、
前記導電部材の両端部が挿入される一対の挿入孔が形成されており、
前記２本の端子に通電可能に接続される一対のピニオンが、前記ラックを前記挿入孔に挿入する挿入方向へのみ回転するように前記一対の挿入孔にそれぞれ配設され、
前記ラックを前記ピニオンに噛合させるように前記ラックの両端部を前記挿入孔に挿入し、前記２本の端子を前記ピニオンと前記ラックと前記ＩＣタグとを介して導通させている
ことを特徴とする鍵管理ボックス。
【請求項９】
２本の端子を備えるＩＣタグを有し、前記２本の端子を前記ＩＣタグを介して接続する導電部材に複数のメカニカルな鍵が取り付けられた複数のホルダと、前記複数のホルダが各々装着される複数のホルダ装着孔を備える本体と、前記複数のホルダ装着孔に各々設けられるものであって、前記ホルダの異常を検知する鍵管理ボックスにおいて、
前記ホルダは、前記導電部材と並列に前記ＩＣタグが配置されており、
前記鍵管理ボックスは、
認証媒体から認証データを読み取って個人認証を行う認証手段と、
前記ＩＣタグデータ読み取り手段に、前記２つの端子の電極を交互に切り換えさせる電極切換制御手段と、
前記電極切換手段が前記ＩＣタグに電流を流す場合と反対方向に電流を流すように前記ＩＣタグデータ読み取り手段に前記２つの端子の電極を切り替えさせた場合に、Ｈレベル電圧を検知するＨ／Ｌ電圧判定手段と、
前記Ｈ／Ｌ電圧判定手段がＨレベル電圧を検知する場合には、前記導電部材が切断されていないと判断し、前記Ｈ／Ｌ電圧判定手段がＨレベル電圧を検知しない場合には、前記導電部材が切断されたと判断する異常判断手段と、
前記異常判断手段が前記導電部材が切断されたと判断した場合に、前記認証手段が個人認証に用いた前記認証データと、前記ＩＣタグデータ読み取り手段が前記ＩＣタグに電流を流して読み取った前記ＩＣタグデータと、前記導電部材が切断されたと判断した日時とを関連付けて、履歴データとして記憶する記憶手段と、を有する
ことを特徴とする鍵管理ボックス。
【請求項１０】
２本の端子を備えるＩＣタグを有し、前記２本の端子を前記ＩＣタグを介して接続する導電部材に複数のメカニカルな鍵が取り付けられた複数のホルダと、前記複数のホルダが各々装着される複数のホルダ装着孔を備える本体と、前記複数のホルダ装着孔に各々設けられるものであって、前記ホルダの異常を検知する鍵管理ボックスにおいて、
前記ホルダは、前記ＩＣタグが、第１ＩＣタグと、前記ＩＣタグの下流側から分岐して前記導電部材に接続する回路上に配設された第２ＩＣタグを含み、
前記鍵管理ボックスは、
認証媒体から認証データを読み取って個人認証を行う認証手段と、
前記ＩＣタグデータ読み取り手段が前記第１及び前記第２ＩＣタグから前記ＩＣタグデータを読み取った場合には、前記ホルダが前記導電部材を切断されていないと判断し、前記ＩＣタグデータ読み取り手段が前記第１ＩＣタグのみから前記ＩＣタグを読み取った場合には、前記導電部材が切断されたと判断する異常判断手段と、
前記異常判断手段が、前記導電部材が切断されたと判断した場合に、前記認証手段が前記個人認証に用いた前記認証データと、前記ＩＣタグデータ読み取り手段が第１ＩＣタグから読み取ったＩＣタグデータと、前記導電部材が切断されたと判断した日時とを関連付け、履歴データとして記憶する記憶手段と、を有する
ことを特徴とする鍵管理ボックス。
【請求項１１】
請求項９又は請求項１０に記載する鍵管理ボックスにおいて、
前記本体に開閉可能に保持され、前記ホルダ装着孔を開放する開閉扉と、
前記認証手段が前記個人認証に成功した場合に、前記開閉扉の開閉を許可する開閉許可手段と、を有する
ことを特徴とする鍵管理ボックス。
【請求項１２】
請求項１乃至請求項１１の何れか１つに記載する鍵管理ボックスにおいて、
前記ホルダが、
電力を供給する動作電源と、
前記ホルダ装着孔から取り外された場合に、前記動作電源の電力を用いて起動し、前記導電部材が切断された場合に出力を変更し、変更した出力を保持する導電部材切断検出手段と、を有すること、
前記ホルダが前記ホルダ装着孔に返却された場合に、前記導電部材切断検出手段の出力を前記ＩＣタグに問い合わせ、前記導電部材切断検出手段の出力が変更した出力である場合に、前記導電部材が切断されたことを検出し、前記認証手段が読み取った前記認証データに、前記ＩＣタグデータ読み取り手段が前記ＩＣタグから読み取ったＩＣタグデータと、前記導電部材が切断されたこととを関連付けて記憶する異常発生記憶手段を有すること、
を特徴とする鍵管理ボックス。
【請求項１３】
２本の端子を備えるＩＣタグを有し、前記２本の端子を前記ＩＣタグを介して接続する導電部材に複数のメカニカルな鍵が取り付けられた複数のホルダと、前記複数のホルダが各々装着される複数のホルダ装着孔を備える本体と、前記複数のホルダ装着孔に各々設けられ、前記２本の端子に接触して前記ＩＣタグからＩＣタグデータを読み取る複数のＩＣタグデータ読み取り手段とを有する鍵管理ボックスにおいて、
前記ホルダが、
電力を供給する動作電源と、
前記ホルダ装着孔から取り外された場合に、前記動作電源の電力を用いて起動し、前記導電部材が切断された場合に出力を変更し、変更した出力を保持する導電部材切断検出手段と、を有すること、
認証媒体から認証データを読み取って個人認証を行う認証手段と、
前記ホルダが前記ホルダ装着孔に返却された場合に、前記導電部材切断検出手段の出力を前記ＩＣタグに問い合わせ、前記導電部材切断検出手段の出力が変更した出力である場合に、前記導電部材が切断されたことを検出し、前記認証手段が読み取った前記認証データに、前記ＩＣタグデータ読み取り手段が前記ＩＣタグから読み取ったＩＣタグデータと、前記導電部材が切断されたこととを関連付けて記憶する異常発生記憶手段と、を有すること、
を特徴とする鍵管理ボックス。
【請求項１４】
請求項１２又は請求項１３に記載する鍵管理ボックスにおいて、
前記ホルダを前記ホルダ装着孔に装着している間に、前記導電部材切断検出手段の出力を前記導電部材が切断されていない場合の出力にリセットする出力リセット手段を有する
ことを特徴とする鍵管理ボックス。
【請求項１５】
２本の端子を備えるＩＣタグを有し、前記２本の端子を前記ＩＣタグを介して接続する導電部材に複数のメカニカルな鍵が取り付けられたものであって、鍵管理ボックスに設けられたホルダ装着孔に、前記２本の端子がＩＣタグデータ読み取り手段に接触するように収納されるホルダにおいて、
電力を供給する動作電源と、
前記ホルダが前記ホルダ装着孔から取り外された場合に、前記動作電源の電力を用いて起動し、前記導電部材が切断された場合に出力を変更し、変更した出力を保持する導電部材切断検出手段と、を有する
ことを特徴とするホルダ。
【発明の詳細な説明】
【技術分野】
【０００１】
本発明は、２本の端子を備えるＩＣタグを有し、２本の端子をＩＣタグを介して接続する導電部材に複数のメカニカルな鍵が取り付けられた複数のホルダと、複数のホルダが各々装着される複数のホルダ装着孔を備える本体と、複数のホルダ装着孔に各々設けられ、２本の端子に接触してＩＣタグからＩＣタグデータを読み取る複数のＩＣタグデータ読み取り手段とを有し、導電部材が切断された場合に、ＩＣタグデータ読み取り手段がＩＣタグからＩＣタグデータを読み取れなくなり、ホルダの異常を検知する鍵管理ボックス及びその鍵管理ボックスに使用されるホルダに関する。
【背景技術】
【０００２】
事業者には、人や物品、金銭に関する保管物を管理する責任がある。そのため、人や物、金銭などの情報を記載したファイルや書類、データ化された情報を記憶する記憶媒体（ＣＤ−ＲＯＭ、ＵＳＢメモリなど）、データ化された情報を取り扱うパソコン、薬品、カルテなどの保管物は、鍵付き保管庫に保管されている。保管物のセキュリティを高めるためには、保管物を使用する権限（アクセス権）を有する者だけが、鍵付き保管庫を開閉することが望ましい。そのため、従来より、鍵付き保管庫の鍵は、鍵管理ボックスに収納されて管理されている。
【０００３】
ところが、近年、保管物の多様化に伴い、保管庫の数が増えている。そのため、鍵管理ボックスには、２００〜３００本もの鍵を管理する能力が求められている。鍵管理ボックスの一態様として、メカニカルな鍵が挿し込まれる錠前を鍵管理ボックスに設け、個人認証できた場合に、錠前を解錠して鍵の出し入れを許可するものがある。しかし、錠前は鍵との形状一致を条件に解錠されるため、異なる形状の鍵及び錠前を製造するには１００本が限界だった。そのため、２００〜３００本のメカニカルな鍵を錠前式鍵管理ボックスで管理しようとすると、鍵管理ボックスを２〜３台設置しなければならず、複数の鍵管理ボックスが同一形状の錠前を備えることになるため、セキュリティレベルが低かった。
【０００４】
この点、メカニカルな鍵をＩＣタグを備えるデジタルキーに交換し、鍵管理ボックスで管理するようにすれば、ＩＣタグに記憶させるＩＣタグデータの違いによって、何本でも異なるデジタルキーを製造できる。しかし、デジタルキーは、ＩＣタグ等を搭載した電子回路を内蔵するため、メカニカルな鍵より１本当たりの値段が高い。デジタルキーの数を減らすには、１本のデジタルキーで複数の保管庫を開閉できるようにすることが考えられるが、この場合、保管庫側の錠前をデジタルキー用の錠前に交換しなければならず、コストがかかる。よって、中小企業等では、セキュリティを高めるために、既存のメカニカルな鍵を一括してデジタルキーに交換したくても、コスト面から難しかった。
【０００５】
そこで、２本の端子を備えるＩＣタグを内蔵するキーホルダに、ワイヤを介して、メカニカルな鍵を複数取り付け、本体のホルダ装着孔にキーホルダを装着する鍵管理ボックスが提案されている。この鍵管理ボックスは、ホルダ装着孔に設けられたＩＣデータ読み取り手段が２本の端子に接触してＩＣタグからＩＣタグデータを読み取れるか否かにより鍵の有無を検知する。鍵管理ボックスは、通常、ロック手段によりキーホルダをロックしているが、個人認証に成功すると、アクセス権があるホルダのロックを解除してキーホルダの出し入れを許可する。このような鍵管理ボックスによれば、複数のメカニカルな鍵を１個のＩＣタグ付きキーホルダで管理でき、しかも、保管庫の既存の錠前をそのまま使用できるので、メカニカルな鍵をデジタルキーに一括交換する場合と比べて、導入コストを大幅に安くできる。
【０００６】
しかし、この鍵管理ボックスでは、キーホルダのワイヤを切断して鍵を不正に持ち出しても、検知できない。そのため、キーホルダは、２本の端子をＩＣタグを介して接続する配線が外部に引き出され、その配線に複数の鍵が取り付けられている。このようにすることにより、鍵管理ボックスは、配線を切断されると、ＩＣタグデータ読み取り手段がＩＣタグに電流を流してＩＣタグデータを読み取ることができなくなり、配線の切断を検知できるようになる（例えば特許文献１参照。）。
【先行技術文献】
【特許文献】
【０００７】
【特許文献１】特開平９−２６８８１１号公報
【発明の概要】
【発明が解決しようとする課題】
【０００８】
しかしながら、特許文献１記載の鍵管理ボックスは、配線の切断を検知できても、その責任が誰にあるかを明確にできなかった。しかも、特許文献１記載の鍵管理ボックスは、常時、キーホルダが外部に開放されており、個人認証の有無に関係なく、いつでも配線を切断して鍵をキーホルダから外すことが可能であった。よって、特許文献１記載の鍵管理ボックスは、配線を切断した者を特定できず、セキュリティレベルが低かった。
【０００９】
そこで、本発明は、上記問題点を解決するためになされたものであり、セキュリティレベルを引き上げることができる鍵管理ボックス及びその鍵管理ボックスに使用されるホルダを提供することを目的とする。
【課題を解決するための手段】
【００１０】
上記目的を達成するために、本発明の一態様によれば、２本の端子を備えるＩＣタグを有し、前記２本の端子を前記ＩＣタグを介して接続する導電部材に複数のメカニカルな鍵が取り付けられた複数のホルダと、前記複数のホルダが各々装着される複数のホルダ装着孔を備える本体と、前記複数のホルダ装着孔に各々設けられ、前記２本の端子に接触して前記ＩＣタグからＩＣタグデータを読み取る複数のＩＣタグデータ読み取り手段とを有し、前記導電部材が切断された場合に、前記ＩＣタグデータ読み取り手段が前記ＩＣタグから前記ＩＣタグデータを読み取れなくなり、前記ホルダの異常を検知する鍵管理ボックスにおいて、前記本体に開閉可能に保持され、前記ホルダ装着孔を開放する開閉扉と、認証媒体から認証データを読み取って個人認証を行う認証手段と、前記認証手段が前記個人認証に成功した場合に、前記開閉扉の開閉を許可する開閉許可手段と、１又は２以上の前記ＩＣタグデータに前記認証データを関連付けて、使用者が１又は２以上の前記ホルダを使用するアクセス権を記憶するアクセス権記憶手段と、前記開閉許可手段が前記開閉扉の開閉を許可した後、前記複数のＩＣタグデータ読み取り手段に前記ＩＣタグデータを読み取らせ、前記ホルダの有無を検知するホルダ有無検知手段と、前記ホルダ有無検知手段が無いと判断したホルダの検出不能なＩＣタグデータを、前記アクセス権記憶手段に記憶されている前記アクセス権に照合し、前記検出不能なＩＣタグデータが、前記認証手段が読み取った前記認証データに対応する前記１又は２以上のＩＣタグデータに含まれていない場合に、前記認証手段が読み取った前記認証データを記憶する異常検知情報記憶手段とを有する。
【００１１】
上記構成では、前記開閉扉の開閉を検知する開閉検知手段を有し、前記ホルダ有無検知手段は、前記開閉検知手段が前記開閉扉の閉状態を検知した後に、前記複数のＩＣタグデータ読み取り手段に前記ＩＣタグデータを読み取らせ、前記ホルダの有無を検知することが望ましい。
【００１２】
上記構成では、貸し出されたホルダのＩＣタグデータを、貸出時に前記認証手段が読み取った貸出時認証データに関連付けて記憶するホルダ貸出情報記憶手段を有し、前記開閉許可手段は、前記ホルダの返却時に前記認証手段が読み取った返却時認証データを前記ホルダ貸出情報記憶手段に照合し、前記返却時認証データが前記貸出時認証データに一致する場合に、前記開閉扉の開閉を許可することが望ましい。
【００１３】
上記構成では、前記ホルダと前記ホルダ装着孔が一対一の関係であり、前記複数のホルダ装着孔に各々設けられて前記ホルダをロックするホルダロック手段と、前記認証手段が個人認証に成功した場合に、前記個人認証に成功した使用者が前記アクセス権を有する前記ホルダのロックを、前記ホルダロック手段に解除させるホルダロック解除手段と、を有することが望ましい。
【００１４】
上記構成では、前記個人認証に成功した使用者がアクセス権を有しないホルダのＩＣタグデータを前記ＩＣタグデータ読み取り手段が読み取らなくなった場合に、異常を警告する異常警告手段を有することが望ましい。
【００１５】
上記構成では、前記ホルダは、前記ホルダに挿入された前記導電部材の一端を前記２本の端子の一方に接続させる第１導電用端子と、前記ホルダに挿入された前記導電部材の他端を前記２本の端子の他方に接続させる第２導電用端子と、前記導電部材が前記ホルダに挿入される挿入経路上にそれぞれ配置され、挿入方向と逆方向への力が前記導電部材に作用した場合に前記導電部材を係止して、前記導電部材と前記導電用端子部材との接触状態を維持する係止部とを内蔵することが望ましい。
【００１６】
上記構成では、前記ホルダは、前記ホルダに挿入された前記導電部材の一端を前記２本の端子の一方に接続させる第１導電用端子と、前記ホルダに挿入された前記導電部材の他端を前記２本の端子の他方に接続させる第２導電用端子と、前記ホルダに挿入される前記導電部材の一方の端部を固定する固定部と、前記ホルダに挿入される前記導電部材の他方の端部が前記ホルダに挿入される挿入経路上に配置され、挿入方向と逆方向への力が前記導電部材に作用した場合に前記導電部材を係止して、前記導電部材と前記導電用端子部材との接触状態を維持する係止部とを内蔵することが望ましい。
【００１７】
上記構成では、前記ホルダは、前記導電部材が、ＩＣタグを内蔵する導電性のあるラックであり、前記導電部材の両端部が挿入される一対の挿入孔が形成されており、前記２本の端子に通電可能に接続される一対のピニオンが、前記ラックを前記挿入孔に挿入する挿入方向へのみ回転するように前記一対の挿入孔にそれぞれ配設され、前記ラックを前記ピニオンに噛合させるように前記ラックの両端部を前記挿入孔に挿入し、前記２本の端子を前記ピニオンと前記ラックと前記ＩＣタグとを介して導通させていることが望ましい。
【００１８】
上記目的を達成するために、本発明の一態様によれば、２本の端子を備えるＩＣタグを有し、前記２本の端子を前記ＩＣタグを介して接続する導電部材に複数のメカニカルな鍵が取り付けられた複数のホルダと、前記複数のホルダが各々装着される複数のホルダ装着孔を備える本体と、前記複数のホルダ装着孔に各々設けられるものであって、前記ホルダの異常を検知する鍵管理ボックスにおいて、前記ホルダは、前記導電部材と並列に前記ＩＣタグが配置されており、前記鍵管理ボックスは、認証媒体から認証データを読み取って個人認証を行う認証手段と、前記ＩＣタグデータ読み取り手段に、前記２つの端子の電極を交互に切り換えさせる電極切換制御手段と、前記電極切換手段が前記ＩＣタグに電流を流す場合と反対方向に電流を流すように前記ＩＣタグデータ読み取り手段に前記２つの端子の電極を切り替えさせた場合に、Ｈレベル電圧を検知するＨ／Ｌ電圧判定手段と、前記Ｈ／Ｌ電圧判定手段がＨレベル電圧を検知する場合には、前記導電部材が切断されていないと判断し、前記Ｈ／Ｌ電圧判定手段がＨレベル電圧を検知しない場合には、前記導電部材が切断されたと判断する異常判断手段と、前記異常判断手段が前記導電部材が切断されたと判断した場合に、前記認証手段が個人認証に用いた前記認証データと、前記ＩＣタグデータ読み取り手段が前記ＩＣタグに電流を流して読み取った前記ＩＣタグデータと、前記導電部材が切断されたと判断した日時とを関連付けて、履歴データとして記憶する記憶手段と、を有する。
【００１９】
上記目的を達成するために、本発明の一態様によれば、２本の端子を備えるＩＣタグを有し、前記２本の端子を前記ＩＣタグを介して接続する導電部材に複数のメカニカルな鍵が取り付けられた複数のホルダと、前記複数のホルダが各々装着される複数のホルダ装着孔を備える本体と、前記複数のホルダ装着孔に各々設けられるものであって、前記ホルダの異常を検知する鍵管理ボックスにおいて、前記ホルダは、前記ＩＣタグが、第１ＩＣタグと、前記ＩＣタグの下流側から分岐して前記導電部材に接続する回路上に配設された第２ＩＣタグを含み、前記鍵管理ボックスは、認証媒体から認証データを読み取って個人認証を行う認証手段と、前記ＩＣタグデータ読み取り手段が前記第１及び前記第２ＩＣタグから前記ＩＣタグデータを読み取った場合には、前記ホルダが前記導電部材を切断されていないと判断し、前記ＩＣタグデータ読み取り手段が前記第１ＩＣタグのみから前記ＩＣタグを読み取った場合には、前記導電部材が切断されたと判断する異常判断手段と、前記異常判断手段が、前記導電部材が切断されたと判断した場合に、前記認証手段が前記個人認証に用いた前記認証データと、前記ＩＣタグデータ読み取り手段が第１ＩＣタグから読み取ったＩＣタグデータと、前記導電部材が切断されたと判断した日時とを関連付け、履歴データとして記憶する記憶手段と、を有する。
【００２０】
上記構成の鍵管理ボックスは、前記本体に開閉可能に保持され、前記ホルダ装着孔を開放する開閉扉と、前記認証手段が前記個人認証に成功した場合に、前記開閉扉の開閉を許可する開閉許可手段と、を有することが望ましい。
【００２１】
上記構成の鍵管理ボックスは、前記ホルダが、電力を供給する動作電源と、前記ホルダ装着孔から取り外された場合に、前記動作電源の電力を用いて起動し、前記導電部材が切断された場合に出力を変更し、変更した出力を保持する導電部材切断検出手段と、を有すること、前記ホルダが前記ホルダ装着孔に返却された場合に、前記導電部材切断検出手段の出力を前記ＩＣタグに問い合わせ、前記導電部材切断検出手段の出力が変更した出力である場合に、前記導電部材が切断されたことを検出し、前記認証手段が読み取った前記認証データに、前記ＩＣタグデータ読み取り手段が前記ＩＣタグから読み取ったＩＣタグデータと、前記導電部材が切断されたこととを関連付けて記憶する異常発生記憶手段を有することが望ましい。
【００２２】
上記目的を達成するために、本発明の一態様に係る鍵管理ボックスは、２本の端子を備えるＩＣタグを有し、前記２本の端子を前記ＩＣタグを介して接続する導電部材に複数のメカニカルな鍵が取り付けられた複数のホルダと、前記複数のホルダが各々装着される複数のホルダ装着孔を備える本体と、前記複数のホルダ装着孔に各々設けられ、前記２本の端子に接触して前記ＩＣタグからＩＣタグデータを読み取る複数のＩＣタグデータ読み取り手段とを有する鍵管理ボックスにおいて、前記ホルダが、電力を供給する動作電源と、前記ホルダ装着孔から取り外された場合に、前記動作電源の電力を用いて起動し、前記導電部材が切断された場合に出力を変更し、変更した出力を保持する導電部材切断検出手段と、を有すること、認証媒体から認証データを読み取って個人認証を行う認証手段と、前記ホルダが前記ホルダ装着孔に返却された場合に、前記導電部材切断検出手段の出力を前記ＩＣタグに問い合わせ、前記導電部材切断検出手段の出力が変更した出力である場合に、前記導電部材が切断されたことを検出し、前記認証手段が読み取った前記認証データに、前記ＩＣタグデータ読み取り手段が前記ＩＣタグから読み取ったＩＣタグデータと、前記導電部材が切断されたこととを関連付けて記憶する異常発生記憶手段と、を有すること、を特徴とする。
【００２３】
上記構成の鍵管理ボックスは、前記ホルダを前記ホルダ装着孔に装着している間に、前記導電部材切断検出手段の出力を前記導電部材が切断されていない場合の出力にリセットする出力リセット手段を有することが望ましい。
【００２４】
上記目的を達成するために、本発明の一態様に係るホルダは、２本の端子を備えるＩＣタグを有し、前記２本の端子を前記ＩＣタグを介して接続する導電部材に複数のメカニカルな鍵が取り付けられたものであって、鍵管理ボックスに設けられたホルダ装着孔に、前記２本の端子がＩＣタグデータ読み取り手段に接触するように装着されるホルダにおいて、電力を供給する動作電源と、前記ホルダが前記ホルダ装着孔から取り外された場合に、前記動作電源の電力を用いて起動し、前記導電部材が切断された場合に出力を変更し、変更した出力を保持する導電部材切断検出手段と、を有することを特徴とする。
【発明の効果】
【００２５】
上記態様の鍵管理ボックスは、通常、開閉扉が閉じられ、本体のホルダ装着孔に装着されたホルダが開閉扉の内側に配置されているため、導電部材を切断して鍵を持ち出すことはできない。認証手段が認証媒体の認証データを読み取って個人認証に成功すると、開閉扉の開閉が許可され、開閉扉を開いてホルダを外部に開放できるようになる。開閉扉を開いた場合に、例えば、使用者がアクセス権を有するホルダ以外のホルダの導電部材を切断して鍵を持ち出すと、導電部材を切断されたホルダの２本の端子に接触するＩＣタグデータ読み取り手段がＩＣタグからＩＣタグデータを読み取れなくなり、ホルダの異常を検知する、そこで、異常検知情報記憶手段が、認証手段が読み取った認証データを記憶し、誰が導電部材を切断したかを履歴に残す。よって、上記態様の鍵管理ボックスによれば、導電部材が切断されていることを発見した場合に、異常検知情報記憶手段が記憶したデータを読めば、導電部材を切断した使用者を特定し、責任追及することができるので、鍵が導電部材を切断されて不正に持ち出される危険に晒され難くなり、セキュリティレベルを引き上げることができる。
【００２６】
上記態様の鍵管理ボックスは、開閉扉を開閉しなければ、ホルダを外部に開放して導電部材を切断することができないので、開閉扉が閉じられた後に、検知できなくなったホルダにアクセス権があったか否かを調べ、ホルダの異常を検知する。このように、上記態様の鍵管理ボックスは、異常発生率が高いと考えられるときにホルダの異常確認を適宜行うので、少ない消費エネルギーでホルダの異常を効率よく検知することができる。
【００２７】
上記態様の鍵管理ボックスは、ホルダの返却時に認証手段が読み取った返却時認証データが、ホルダ貸出情報記憶手段に記憶されている貸出時認証データに一致した場合に、開閉扉の開閉を許可するので、ホルダを貸し出された使用者が、貸し出されたホルダを必ず返却することになり、貸し出されたホルダの鍵が紛失した場合等の責任の所在が明確である。よって、上記態様の鍵管理ボックスによれば、使用者が、貸し出されたホルダを注意深く管理するようになり、ホルダの又貸しによる鍵の紛失等を防止することができる。
【００２８】
上記態様の鍵管理ボックスは、個人認証に成功した使用者がアクセス権を有するホルダに対応するホルダ装着孔のホルダロック手段のロックを解除し、個人認証に成功した使用者にアクセス権が認められていないホルダに対応するホルダ装着孔のホルダロック手段のロックを解除しないため、例えば、又貸しされたホルダにアクセス権がない者は、そのホルダを鍵管理ボックスに返却することができない。よって、上記態様の鍵管理ボックスによれば、ホルダを借りた人がそのホルダを返却するようになり、貸し出し中のホルダに関するトラブルの責任が明確なので、鍵を安全に管理できるようになる。
【００２９】
上記態様の鍵管理ボックスは、アクセス権のないホルダのＩＣタグデータをＩＣタグデータ読み取り手段が読み取らなくなった場合に異常を警告する。そのため、例えば、２本の端子とＩＣタグデータ読み取り手段との接触不良により、ＩＣタグデータ読み取り手段がＩＣタグデータを読み取れなくなった場合に、使用者が、アクセス権のないホルダの導電部材を切断した責任追及を免れるために、接触不良を解消する等の処置を行う。よって、上記態様の鍵管理ボックスによれば、ＩＣタグデータ読み取り手段と２本の端子との接触不良が放置されず、ホルダの異常を検知する精度を維持できる。
【００３０】
上記態様の鍵管理ボックスは、複数の鍵が挿通された導電部材の両端部がホルダに挿入されて係止部に係止され、鍵がホルダに取り付けられている。鍵をホルダから外すために、導電部材をホルダへの挿入方向と反対方向に引っ張ると、係止部が破壊される。よって、上記態様の鍵管理ボックスによれば、ホルダに不正を働くと、その痕跡がホルダに残り、ホルダの異常を早期に発見できる。
【００３１】
上記態様の鍵管理ボックスは、導電部材の一方が固定部により固定されており、導電部材を複数の鍵に挿通して導電部材の他方をホルダに挿入して係止部に係止させることにより、複数の鍵がホルダに取り付けられている。鍵をホルダから外すために、導電部材をホルダへの挿入方向と反対方向に引っ張ると、係止部が破壊される。よって、上記態様の鍵管理ボックスによれば、ホルダに不正を働くと、その痕跡がホルダに残り、ホルダの異常を早期に発見できる。
【００３２】
上記態様の鍵管理ボックスは、複数の鍵に挿通されたラックの両端部をホルダの一対の挿通孔に挿入し、一対のピニオンに噛合させることにより、複数の鍵がホルダに取り付けられている。ＩＣタグが取り付けられたラックをホルダから外したり、ラックが切断されると、第１及び第２端子がラックを介して導通しなくなり、ＩＣタグデータを読み取れなくなる。また、一対のピニオンがラックの挿入方向へのみ回転するため、鍵をラックから取り外すためにラックを挿入方向へ逆方向へ引っ張ると、ラックや一対のピニオンなどが破壊される。よって、上記態様の鍵管理ボックスによれば、ホルダに不正をはたらくと、その痕跡がホルダに残り、ホルダの異常を早期に発見できる。また、上記態様の鍵管理ボックスは、ラックを交換すれば、ホルダを再利用できるため、ホルダを共通化してコストダウンを図ることができる。
【００３３】
上記態様の鍵管理ボックスは、ＩＣタグデータ読み取り手段がホルダの２つの端子の電極を交互に切り換える。鍵管理ボックスは、導電部材が切断されていないホルダが返却された場合、ＩＣタグデータ読み取り手段がＩＣタグに電流を流すようにホルダの２つの端子の電極を切り換える間、ＩＣタグからＩＣタグデータを読み取り、一方、ＩＣタグデータ読み取り手段がＩＣタグに電流を流す場合と反対方向に電流を流すように２つの端子の電極を切り換える間、Ｈ／Ｌ電圧判定手段がＨレベル電圧を検知する。この場合、鍵管理ボックスは、返却されたホルダの導電部材が切断されていないと判断する。これに対して、鍵管理ボックスは、導電部材が切断されたホルダが返却された場合、ＩＣタグデータ読み取り手段がＩＣタグに電流を流すようにホルダの２つの端子の電極を切り換える間、ＩＣタグからＩＣタグデータを読み取るが、ＩＣタグデータ読み取り手段がＩＣタグに電流を流す場合と反対方向に電流を流すように２つの端子の電極を切り換える間、Ｈ／Ｌ電圧判定手段がＨレベル電圧を検知しない。この場合、鍵管理ボックスは、返却されたホルダの導電部材が切断されたと判断し、認証手段が個人認証に用いた認証データと、ＩＣタグデータ読み取り手段がＩＣタグに電流を流して読み取ったＩＣタグデータと、導電部材が切断されたと判断した日時とを関連付けて、履歴データとして記憶する。このような鍵管理ボックスでは、履歴データを参照すれば、導電部材が切断されたホルダを特定し、そのホルダがいつ誰によって返却されたかを特定することができるので、セキュリティレベルが向上する。
【００３４】
上記態様の鍵管理ボックスは、導電部材を切断されていないホルダが返却された場合、ＩＣタグデータ読み取り手段が第１及び第２ＩＣタグからＩＣタグデータを読み取る。この場合、鍵管理ボックスは、返却されたホルダが導電部材を切断されていないと判断する。一方、鍵管理ボックスは、導電部材を切断されたホルダが返却された場合、ＩＣタグデータ読み取り手段が第１ＩＣタグのみからＩＣタグデータを読み取り、第２ＩＣタグからＩＣタグデータを読み取らない。この場合、鍵管理ボックスは、返却されたホルダが導電部材を切断されていると判断し、認証手段が個人認証に用いた認証データと、ＩＣタグデータ読み取り手段が第１ＩＣタグから読み取ったＩＣタグデータと、導電部材が切断されたと判断した日時とを関連付け、履歴データとして記憶する。このような鍵管理ボックスでは、履歴データを参照すれば、導電部材が切断されたホルダを特定し、そのホルダがいつ誰によって返却されたかを特定することができるので、セキュリティレベルが向上する。
【００３５】
上記構成の鍵管理ボックスは、個人認証に成功した場合に、開閉扉の開閉を許可して、ホルダ装着孔に装着されているホルダを外部に露出させるので、個人認証しない状態でホルダの導電部材が切断されることがなく、導電部材が切断された責任の所在を明らかにできる。
【００３６】
上記態様の鍵管理ボックス及びホルダは、ホルダが鍵管理ボックスのホルダ装着孔から取り外されると、導電部材切断検出手段が動作電源の電力を用いて起動する。鍵管理ボックスから持ち出されたホルダは、導電部材を切断されると、導電部材切断検出手段が出力を変更し、変更した出力を保持する。変更した出力は、切断された導電部材が切断部分を接続された後も、保持される。そのため、当該ホルダを鍵管理ボックスに返却した場合に、鍵管理ボックスがＩＣタグに導電部材切断検出手段の出力を問い合わせると、ＩＣタグは、導電部材切断検出手段の変更した出力を鍵管理ボックスに知らせる。この場合、鍵管理ボックスは、導電部材が切断されたことを検出し、認証手段が読み取った認証データに、ＩＣタグデータ読み取り手段がＩＣタグから読み取ったＩＣタグデータを、導電部材が切断されたこととを関連付けて記憶し、誰がどのホルダの導電部材を切断したかという履歴を残す。このように、上記態様の鍵管理ボックス及びホルダによれば、鍵管理ボックスから取り外されたホルダについて導電部材が切断されたことを検出することができるので、セキュリティレベルを引き上げることができる。
【００３７】
また、上記構成の鍵管理ボックスは、ホルダをホルダ装着孔に装着している間に、導電部材切断検出手段の出力を、導電部材が切断されていない場合の出力にリセットする。そのため、鍵管理ボックスは、ホルダ装着孔に返却されたホルダについて導電部材の切断を検出した後、導電部材切断検出手段の出力を導電部材が切断されていない場合の出力にリセットすれば、当該ホルダを交換しなくても、導電部材の切断を引き続き監視することができる。
【図面の簡単な説明】
【００３８】
【図１】本発明の第１実施形態に係る鍵管理ボックスの概略構成図である。
【図２】鍵付きホルダの側面図である。
【図３】鍵付きホルダの概略内部構成図である。
【図４】鍵管理ボックスの制御の構成ブロック図である。
【図５】制御プログラムのフロー図である。
【図６】認証失敗警告画面の一例を示す図である。
【図７】異常警告画面の一例を示す図である。
【図８】本発明の第２実施形態に係る鍵管理ボックスの制御構成を示す図である。
【図９】制御プログラムのフロー図である。
【図１０】本発明の第３実施形態に係る鍵管理ボックスの制御の構成ブロック図である。
【図１１】制御プログラムのフロー図である。
【図１２】本発明の第４実施形態に係り、ホルダの概略構成を示す図である。
【図１３】本発明の第５実施形態に係り、ホルダの外観斜視図である。
【図１４】ホルダの概略構成を示す図であって、ラックをホルダに装着する前の状態を示す。
【図１５】本発明の第６実施形態に係り、ホルダの概略構成を示す図である。
【図１６】本発明の第７実施形態に係り、ホルダの概略構成を示す図である。
【図１７】本発明の第８実施形態に係り、ホルダの概略構成を示す図である。
【図１８】ＩＣタグデータ読み取り手段の概略構成を示す図である。
【図１９】本発明の第９実施形態に係り、ホルダの概略構成を示す図である。
【図２０】本発明の第１０実施形態に係り、ホルダ内に設けられた電気回路のブロック図である。
【図２１】鍵管理ボックスがホルダのコンデンサに充電する充電動作を説明する図である。
【図２２】鍵管理ボックスがホルダのＩＣタグからＩＣタグデータを読み取るデータ読み取り動作を説明する図である。
【図２３】鍵管理ボックスから持ち出されたホルダにおけるフリップフロップ回路の動作を説明する図であって、導電部材が切断されていない正常時を示す。
【図２４】鍵管理ボックスから持ち出されたホルダにおけるフリップフロップ回路の動作を説明する図であって、導電部材が切断された異常時を示す。
【図２５】切断された導電部材を修復してからホルダを鍵管理ボックスに返却した場合に、鍵管理ボックスがホルダのＩＣタグからデータを読み取る動作を説明する図である。
【図２６】フリップフロップ回路をリセットするリセット動作を説明する図である。
【図２７】ホルダの第１変形例を示す図である。
【図２８】ホルダの第２変形例を示す図である。
【発明を実施するための形態】
【００３９】
以下に、本発明に係る鍵管理ボックス及びその鍵管理ボックスに使用されるホルダの一実施形態について、図面を参照しながら説明する。
【００４０】
（第１実施形態）
＜鍵管理ボックスの概略構成＞
図１は、本発明の第１実施形態に係る鍵管理ボックス３０の概略構成図であって、開閉扉３１を開いた状態を示す。
鍵管理ボックス３０は、開閉扉３１が本体３に付設され、通常、開閉扉３１は閉じられて扉ロック部２７にロックされている。開閉扉３１の開閉は、開閉検知手段３６に検知される。鍵管理ボックス３０の開閉扉３１の内側には、１０個のホルダ２（図２参照）を保持するホルダ孔ユニット３８（３８Ａから３８Ｊまで）が付設されている。鍵管理ボックス３０の開閉扉３１の右側の表面には、ＩＤカード読み取り部３２、テンキー操作部３３、液晶表示部３４、貸出ボタン２８、返却ボタン２９が付設されている。ホルダ孔ユニット３８は、ホルダ２が装着されるホルダ装着孔３５、ＬＥＤ４３、ネームプレート３７を有している。鍵管理ボックス３０は、各ホルダ孔ユニット３８（３８Ａ〜３８Ｊ）に決められたホルダ２（２Ａ〜２Ｊ）が出し入れされるものであり、ネームプレート３７とホルダ２には、対応関係が分かる記載（例えば、資料室１の保管庫、資料室２の保管庫等の記載や、ホルダ２の識別番号１，２，３…など）が記載されている。
【００４１】
＜鍵付きホルダの構成＞
次に、鍵付きホルダ２について説明する。図２に鍵付きホルダ２の側面図を示し、図３に鍵付きホルダ２の概略内部構成図を示す。
ホルダ２は、ケース１５の外側に露出する導電部材１６に、メカニカルな鍵１が複数取り付けられている。鍵１は、保管庫の錠前に差し込まれ、形状の一致を条件に錠前を解錠するためのものであり、ＩＣタグが取り付けられていない。導電部材１６の両端部は、ホルダ製造時にケース１５に抜け不能に係止され、導電部材１６を切断しなければ鍵１を外せないようになっている。
【００４２】
図３に示すように、ケース１５は、樹脂などの絶縁材料により形成され、インサート成形により、ＩＣタグ１０と第１〜第４端子１１〜１４が内部に一体に設けられている。ケース１５の内部には、第１端子１１をＩＣタグ１０、第３端子１３、導電部材１６、第４端子１４を介して第２端子１２に導通させる回路が設けられている。ＩＣタグ１０は、固有の製造番号をＩＣタグデータとして記憶し、そのＩＣタグデータが当該ホルダ２を他のホルダ２と識別するために使用されている。第１及び第２端子（２本の端子の一例）１１，１２は、ホルダ装着孔３５に内設されたＩＣタグデータ読み取り手段４２（図４参照）に接触するように、ケース１５の外部に露出している。第３及び第４端子（第１及び第２導電用端子の一例）１３，１４は、ケース１５の収容空間部（係止部の一例）１５ａ，１５ｂに露出し、収容空間部１５ａ，１５ｂに挿入された導電部材１６の両端部１６ａ，１６ｂに接触するようになっている。
【００４３】
ケース１５の収容空間部１５ａ，１５ｂは、該収容空間部１５ａ，１５ｂより小さく設けられた開口部１５ｃ，１５ｄを介して外部に連通している。導電部材１６は、導電性を有する所定長の金属板で構成され、両端部１６ａ，１６ｂを除き、外周面に絶縁カバー１６ｃが装着されて絶縁されている。導電部材１６は、両端部１６ａ，１６ｂが折り返された状態でＵ字型に撓められ、両端部１６ａ，１６ｂが開口部１５ｃ，１５ｄから収容空間部１５ａ，１５ｂへ挿入されている。両端部１６ａ，１６ｂは、収容空間部１５ａ，１５ｂ内において自身の弾性力により折り曲げられた部分を広げ、収容空間部１５ａ，１５ｂに突っ張った状態で配置されている。そのため、導電部材１６は、両端部１６ａ，１６ｂが収容空間部１５ａ，１５ｂの内壁に引っ掛かり、両端部１６ａ，１６ｂを挿入方向と逆方向へ引っ張っても、開口部１５ｃ，１５ｄから抜けない。この結果、ホルダ２は、ケース１５を破壊するか導電部材１６を切断しない限り、鍵１を取り外すことができない。そして、両端部１６ａ，１６ｂは、自身の弾性力により第３及び第４端子１３，１４に押し付けられて通電可能に接触している。
【００４４】
＜鍵管理ボックスの制御構成＞
次に、鍵管理ボックス３０のコントローラ４４について説明する。図４に鍵管理ボックス３０の制御ブロック図を示す。コントローラ４４（認証手段、開閉許可手段、ホルダ有無検知手段、異常検知情報記憶手段、ホルダ貸出情報記憶手段、異常警告手段の一例）は、ＣＰＵ４５、ＲＯＭ４６、メモリ５１を備えている。ＲＯＭ４６は、制御プログラム５０と、アクセス権記憶部４８とを備えている。アクセス権とは、使用者がホルダ２を使用する権利をいう。アクセス権記憶部４８は、１又は２以上のＩＣタグデータを認証データに関連付けて記憶することにより、アクセス権を使用者別に記憶している。また、メモリ５１は、鍵管理ボックス３０の使用履歴（開閉扉３１の開閉時間、貸出人、返却人、貸し出された貸出ホルダ、返却された返却ホルダ）を使用履歴データとして蓄積して記憶する履歴記憶部５２と、ホルダ２の異常を検知した場合に異常検知情報（導電部材１６が切断された異常発生時間、導電部材１６を切断した人、導電部材が切断された異常発生ホルダ）を蓄積して記憶する異常検知情報記憶部５３を備えている。
【００４５】
コントローラ４４には、ホルダ２が装着されたときに、ホルダ２に内蔵されたＩＣタグ１０に記憶されているＩＣタグデータを読み取るためのＩＣタグデータ読み取り手段４２（４２Ａ〜４２Ｊ）と、取り出し可能なホルダ２を知らせるためのＬＥＤ４３（４３Ａ〜４３Ｊ）が接続されている。また、コントローラ４４には、ＩＤカード読み取り部３２、テンキー操作部３３、液晶表示部３４、開閉検知手段３６、扉ロック部２７、貸出ボタン２８、返却ボタン２９が接続されている。
【００４６】
＜動作説明＞
続いて、鍵管理ボックス３０の動作について説明する。
鍵管理ボックス３０には、通常、開閉扉３１が閉じられて扉ロック部２７にロックされ、ホルダ孔ユニット３８（３８Ａ〜３８Ｊ）に付設されたホルダ２（２Ａ〜２Ｊ）が開閉扉３１の内側に配置されて導電部材１６を切断されないようにされている。ホルダ２（２Ａ〜２Ｊ）は、第１及び第２端子１１（１１Ａ〜１１Ｊ），１２（１２Ａ〜１２Ｊ）がＩＣタグデータ読み取り手段４２（４２Ａ〜４２Ｊ）にそれぞれ接触するようにホルダ装着孔３５（３５Ａ〜３５Ｊ）に差し込まれている。鍵管理ボックス３０は、ＩＤカード読み取り部３２が使用者のＩＤカード（認証媒体の一例）からデータを読み取ると、コントローラ４４が制御プログラム５０を起動し、ホルダ２の異常を監視しながらホルダ２の使用履歴データを蓄積して記憶し、鍵１の貸出と返却を管理する。
【００４７】
以下、使用者甲が鍵１を正当に持ち出す場合＜鍵の貸出＞と、使用者甲が鍵１を正当に返却する場合＜鍵の返却＞と、使用者甲がアクセス権のないホルダ２を不正に持ち出す場合＜鍵の不正持ち出し＞と、使用者甲が導電部材１６を切断して鍵１を不正に持ち出す場合＜導電部材切断による鍵の不正持ち出し＞と、使用者甲が開閉扉３１を開閉する場合にＩＣタグ１０のデータ読み取り不良が生じた場合＜データ読み取り不良発生＞を例に挙げて、鍵管理ボックス３０の動作を説明する。図５に制御プログラム５０のフロー図を示す。
【００４８】
＜鍵の貸出＞
使用者甲は、例えば、複数の保管庫に保管されている資料を使いたい場合には、ＩＤカードを持って鍵管理ボックス３０へ行き、ＩＤカード読み取り部３２にＩＤカードをかざして貸出ボタン２８を押す。
【００４９】
コントローラ４４は、制御プログラム５０を起動し、ＩＤカード読み取り部３２が読み取った認証データをアクセス権記憶部４８に記憶されているアクセス権に照合し、個人認証を行う（Ｓ１）。コントローラ４４は、認証データがアクセス権記憶部４８に記憶されている認証データと一致せず、個人認証が失敗した場合には（Ｓ１：Ｎｏ）、例えば、図６に示すように「認証に失敗しました。もう一度やり直して下さい。」との認証失敗画面を液晶表示部３４に表示し、認証失敗の警告を行う（Ｓ１５）。そして、処理を終了する。
【００５０】
一方、コントローラ４４は、認証データがアクセス権記憶部４８に記憶されている認証データと一致し、個人認証が成功した場合には（Ｓ１：Ｙｅｓ）、貸出ボタン２８又は返却ボタン２９が押下されたか否かを判断する（Ｓ２）。使用者甲は貸出ボタン２８を押しているので（Ｓ２：貸出ボタン押下）、コントローラ４４は、アクセス権記憶部４８から、使用者甲の認証データと関連付けて記憶されるＩＣタグデータを読み出し、使用者甲がアクセス権を有するホルダ２を特定し、ＬＥＤ４３を点灯させる。例えば、使用者甲が、ホルダ２Ａ，２Ｃについてアクセス権を有する場合には、コントローラ４４は、ホルダ２Ａ，２Ｃを収納するホルダ孔ユニット３８Ａ，３８ＣのＬＥＤ４３Ａ，４３Ｃを点灯する（Ｓ３）。そして、扉ロック部２７に開閉扉３１のロックを解除させ、開閉扉３１の開閉を許可する（Ｓ４）。
【００５１】
使用者甲は、開閉扉３１を開くと、ＬＥＤ４３Ａ，４３Ｃが点灯しているので、取り出し可能なホルダ２Ａ，２Ｃの所在が直ぐに分かる。使用者甲は、開閉したい保管庫の錠前に対応する鍵１が取り付けられたホルダ２Ａをホルダ孔ユニット３８Ａから抜き出し、開閉扉３１を閉じる。開閉検知手段３６が開閉扉３１の閉状態を検知すると、コントローラ４４は、扉ロック部２７に開閉扉３１をロックさせて開閉扉３１の開閉を制限する（Ｓ５：Ｙｅｓ、Ｓ６：Ｙｅｓ、Ｓ７）。これにより、誰も鍵管理ボックス３０からホルダ２Ｂ〜２Ｊを持ち出せなくなる。
【００５２】
そして、コントローラ４４は、鍵管理ボックス３０内のホルダ２の有無を検知する（Ｓ８）。具体的には、コントローラ４４は、ＩＣタグデータ読み取り手段４２（４２Ａ〜４２Ｊ）にＩＣタグ１０のＩＣタグデータを読み取る指令を出力する。ＩＣタグデータ読み取り手段４２（４２Ａ〜４２Ｊ）とホルダ２の第１及び第２端子１１，１２とが正常に接触し、且つ、導電部材１６が第３及び第４端子１３，１４を正常に接続している場合には、ＩＣタグデータ読み取り手段４２（４２Ａ〜４２Ｊ）がＩＣタグ１０（１０Ａ〜１０Ｊ）に電流を流してＩＣタグデータを読み取ることができる。よって、上記のように使用者甲が鍵管理ボックス３０からホルダ２Ａを持ち出した場合には、ＩＣタグデータ読み取り手段４２Ｂ〜４２Ｊがホルダ２Ｂ〜２ＪのＩＣタグ１０Ｂ〜１０ＪからＩＣタグデータを読み取る一方、ＩＣタグデータ読み取り手段４２Ａがホルダ２ＡのＩＣタグ１０ＡからＩＣタグデータを読み取ることができないため、コントローラ４４は、ホルダ２Ｂ〜２Ｊが鍵管理ボックス３０内に有って、ホルダ２Ａが鍵管理ボックス３０内に無いと判断する。
【００５３】
そして、コントローラ４４は、履歴記憶部５２に記憶されている使用履歴データより、使用者甲が開閉扉３１を開く前にホルダ２の有無を検知していた直近のホルダ有無検知データを読み出し、直近のホルダ有無検知データとＳ８のホルダ有無検知処理で取得した現在のホルダ有無検知データとが一致するか否かを判断する（Ｓ９）。これにより、どのホルダ２が持ち出されたかを認識できる。例えば、全てのホルダ孔ユニット３８Ａ〜３８Ｊにホルダ２Ａ〜２Ｊが装着されている状態から、使用者甲がホルダ２Ａを持ち出した場合、コントローラ４４は、ホルダ２Ａ〜２ＪのＩＣタグデータを直近のホルダ有無検知データとして認識し、ホルダ２Ｂ〜２ＪのＩＣタグデータを現在のホルダ有無検知データとして認識する。この場合、開閉扉３１を閉じた後にホルダ２ＡのＩＣタグデータを検知できない点で、過去のホルダ有無検知データと現在のホルダ有無検知データとが一致せず、ホルダ２Ａが持ち出されたことが分かる（Ｓ９：Ｎｏ）。そこで、コントローラ４４は、持ち出されたホルダ２ＡのＩＣタグデータをアクセス権記憶部４８に照合し、持ち出されたホルダ２Ａが、使用者甲がアクセス権を有するものであるか否かを判断する（Ｓ１０）。上述したように、使用者甲は、ホルダ２Ａ，２Ｃについてアクセス権を有する。よって、使用者甲が持ち出したホルダ２ＡのＩＣタグデータは、アクセス権記憶部４８に使用者甲の認証データに関連付けて記憶されるホルダ２Ａ，２ＣのＩＣタグデータに含まれ、コントローラ４４は、検知できなくなったホルダ２Ａが、使用者甲のアクセス権があるホルダであると判断する（Ｓ１０：Ｙｅｓ）。この場合、コントローラ４４は、開閉扉３１の開閉時間と検知できなくなったホルダ２ＡのＩＣタグデータ（貸出時ＩＣタグデータ）とを、ＩＤカード読み取り部３２が読み取った認証データ（貸出時認証データ）に関連付けて履歴記憶部５２に記憶し、使用者甲にホルダ２Ａをいつ貸し出したかを使用履歴データとして残す（Ｓ１４）。そして、ホルダ２の貸出処理を終了する。
【００５４】
使用者甲は、ホルダ２Ａを持って複数の保管庫へ移動し、ホルダ２Ａに取り付けられた鍵１を保管庫の錠前に順次差し込んで開閉し、所望の資料を取り出す。鍵１は、既存のメカニカルな鍵であるため、保管庫の錠前には既存のものが使用されている。よって、鍵管理ボックス３０を導入して鍵１の管理を行う場合に、既存の錠前や鍵１を交換する必要がなく、安価に鍵１のセキュリティを高めることができる。
【００５５】
＜鍵の返却＞
使用者甲は、所望の資料を取り出すと、ＩＤカードとホルダ２Ａを持って鍵管理ボックス３０へ行き、ホルダ２Ａを鍵管理ボックス３０に返却する。ここで、鍵管理ボックス３０は、使用者甲にホルダ２Ａをいつから貸しているかを、履歴記憶部５２の使用履歴データに基づいて認識している。使用者甲は、ホルダ２Ａの貸し出し中に、保管庫から資料が不正に持ち出されると、責任追求されるので、保管庫から所望の資料を持ち出すと、直ぐにホルダ２Ａを鍵管理ボックス３０に返却しに行く。
【００５６】
使用者甲がＩＤカードをＩＤカード読み取り部３２にかざして返却ボタン２９を押し、個人認証に成功すると、（Ｓ１：Ｙｅｓ、Ｓ２：返却ボタン押下）、コントローラ４４は、履歴記憶部５２の使用履歴データを参照し、個人認証した使用者甲にホルダ２Ａを貸し出しているか否かを確認する（Ｓ１６）。ここでは、使用者甲がホルダ２Ａを持ち出しているため、履歴記憶部５２には、使用者甲の貸出時認証データと、ホルダ２Ａの貸出時ＩＣタグデータと、ホルダ２Ａを貸し出した貸出時間（開閉扉３１の開閉時間）とが互いに関連付けて記憶されている。よって、コントローラ４４は、返却時にＩＤカード読み取り部３２が読み取った認証データ（返却時認証データ）が履歴記憶部５２の貸出時認証データに一致するため、使用者甲にホルダを貸出中であると判断する（Ｓ１６：Ｙｅｓ）。
【００５７】
そして、コントローラ４４は、使用者甲がアクセス権を有するホルダ２Ａ，２Ｃに対応するホルダ孔ユニット３８Ａ，３８Ｃに設けられたＬＥＤ４３を点灯し、返却可能な場所を視認できるようにする（Ｓ１７）。
【００５８】
扉ロック部２７のロックが解除されると（Ｓ４）、使用者甲は、開閉扉３１を開いて、ＬＥＤ４３Ａが点灯し、且つ、ホルダ２が祖着されていないホルダ孔ユニット３８Ａのホルダ装着孔３５Ａにホルダ２Ａを差し込み、開閉扉３１を閉じる。コントローラ４４は、開閉検知手段３６が開閉扉３１の閉状態を検知すると（Ｓ５：Ｙｅｓ、Ｓ６：Ｙｅｓ）、扉ロック部２７をロック状態にして、ホルダ２に触れられないようにする（Ｓ７）。そして、上述したホルダ２の貸出時と同様に、ホルダ２の有無を検知し（Ｓ８）、直近のホルダ有無検知データと現在のホルダ有無検知データが一致するか否かにより、扉開閉前後でホルダ２が同一であるか否かを判断する（Ｓ９）。使用者甲がホルダ２Ａを返却すると、扉開閉前後でホルダ２ＡのＩＣタグデータが増加しているので、直近のホルダ有無検知データと現在のホルダ有無検知データとが一致しない（Ｓ９：Ｎｏ）。そこで、コントローラ４４は、増加したホルダ２ＡのＩＣタグデータを、アクセス権記憶部４８に記憶されている使用者甲のアクセス権に照合し、ホルダ２Ａが、使用者甲がアクセス権を有するホルダであるか否かを判断する（Ｓ１０）。使用者甲は、ホルダ２Ａ，２Ｃについてアクセス権があるので（Ｓ１０：Ｙｅｓ）、コントローラ４４は、開閉扉３１の開閉時間と返却されたホルダ２ＡのＩＣタグデータ（返却時ＩＣタグデータ）とを返却時ＩＣタグデータに関連付けて履歴記憶部５２に記憶し、使用者甲がいつホルダ２Ａを返却したかを履歴に残す（Ｓ１４）。
【００５９】
ところで、例えば、使用者甲が、貸し出されたホルダ２Ａを、ホルダ２Ａについてアクセス権を有する使用者乙に又貸しをした場合、使用者乙にホルダ２Ａを貸し出した使用履歴データが履歴記憶部５２に残っていない。そのため、使用者乙は、ＩＤカードをＩＤカード読み取り部３２にかざして返却ボタン２９を押しても、開閉扉３１の開閉を開閉できず、ホルダ２Ａを鍵管理ボックス３０に返却できない（Ｓ１６：Ｎｏ）。よって、使用者甲は、又貸ししたホルダ２Ａを使用者乙から受け取り、鍵管理ボックス３０に返却しなければならない。しかも、履歴記憶部５２の使用履歴データから、ホルダ２Ａが使用者甲に貸し出されていることが明白なので、ホルダ２Ａを使用者乙に貸し出している最中に保管庫から資料が不正に持ち出されると、使用者甲は責任追及される。そのため、使用者甲は、使用者乙がホルダ２Ａの鍵１を善良に使用するように監督するようになり、更には、信頼のない相手に持ち出したホルダ２Ａを又貸ししなくなる。
【００６０】
また例えば、ホルダ２Ｃについてアクセス権がある使用者丁が、ホルダ２Ｃを鍵管理ボックス３０から正当に持ち出しており、使用者甲からホルダ２Ａを又貸しされた場合、使用者丁は、ホルダ２Ｃを鍵管理ボックス３０に返却するときに、ホルダ２Ａを一緒に鍵管理ボックス３０に返却できる（Ｓ１：Ｙｅｓ、Ｓ１６：返却ボタン押下、Ｓ１７、Ｓ５：Ｙｅｓ、Ｓ６：Ｙｅｓ、Ｓ７）。この場合、コントローラ４０が、使用者丁がアクセス権のないホルダ２Ａを返却したことを認識し、異常情報記憶部５３と履歴記憶部５２に記憶する（Ｓ８、Ｓ９：Ｎｏ、Ｓ１０：Ｎｏ、Ｓ１１、Ｓ１２：Ｎｏ、Ｓ１３、Ｓ１４）。よって、例えば、ホルダ２Ａを使用者甲に貸し出した後、ホルダ２Ａが使用者丁によって返却されるまでの間に、ホルダ２Ａの鍵１が紛失したり、ホルダ２Ａの鍵１に対応する鍵付き保管庫から資料が不正に持ち出された場合には、異常情報記憶部５３又は履歴記憶部５２に記憶されているデータから、使用者甲又は使用者丁がホルダ２Ａを使用したことを特定し、鍵１の紛失や資料の不正持ち出しに関する責任を追及することができる。そのため、使用者甲及び使用者丁は、ホルダ２の又貸しに対して慎重になり、鍵１のセキュリティが向上する。
【００６１】
＜鍵の不正持ち出し＞
次に、使用者甲が、アクセス権のないホルダ２Ｊに取り付けられた鍵１を不正に持ち出す場合について説明する。
使用者甲は、ホルダ２Ａ，２Ｃについてアクセス権があるため、ＩＤカードをＩＤカード読み取り部３２にかざして貸出ボタン２８を押せば、開閉扉３１を開閉できる（Ｓ１：Ｙｅｓ、Ｓ２：貸出ボタン押下、Ｓ４）。ホルダ２Ａ〜２Ｊは、ホルダ装着孔３５Ａ〜３５Ｊに挿し込まれただけのものであるため、使用者甲は、アクセス権のないホルダ２Ｊをホルダ装着孔３５Ｊから抜いて持ち出すことができる。
【００６２】
使用者甲がホルダ２Ｊを不正に持ち出して開閉扉３１を閉じると（Ｓ５：Ｙｅｓ、Ｓ６：Ｙｅｓ）、扉ロック部２７がロック状態になる（Ｓ７）。ホルダ２Ｊが持ち出されると、ホルダ孔ユニット３８ＪのＩＣタグデータ読み取り手段４２ＪがＩＣタグ１０ＪからＩＣタグデータを読み取れなくなる。よって、コントローラ４４は、ホルダ２Ｊが無いことを検知する（Ｓ８）。そして、開閉扉３１の開閉前後でホルダ２ＪのＩＣタグデータが減少するため、直近のホルダ有無検知データと現在のホルダ有無検知データとが一致しない（Ｓ９；Ｎｏ）。しかも、扉開閉前後で減ったホルダ２ＪのＩＣタグデータは、使用者甲がアクセス権を有するホルダ２Ａ，２ＣのＩＣタグデータに一致せず、コントローラ４４は、ホルダ２Ｊが、使用者甲がアクセス権を有するものでないことを認識する（Ｓ１０：Ｎｏ）。そこで、コントローラ４４は、例えば、図７に示すように、「ホルダ２Ｊに異常があります。ホルダ２Ｊの収納状態を確認して下さい。」との異常警告画面を液晶表示部３４に表示すると共に、警告アラームを発する等して、使用者甲に異常を警告する（Ｓ１１）。
【００６３】
使用者甲が異常警告を無視してホルダ２Ｊを持って立ち去った場合、異常が解消されない（Ｓ１２：Ｎｏ）。そこで、使用者甲のアクセス権がないホルダ２ＪであってＩＣタグデータ読み取り手段４２がＩＣタグデータを読み取れなくなったホルダ２ＪのＩＣタグデータを、開閉扉３１の開閉時間と共に、貸出時認証データに関連付けて、異常検知情報記憶部５３に記憶する。これにより、異常検知情報記憶部５３の異常検知情報から、使用者甲がいつアクセス権のないホルダ２Ｊを不正に持ち出したかを特定できるようになる。
【００６４】
ところで、ホルダ２Ｊは、導電部材１６Ｊの両端部１６ａ，１６ｂがケース１５Ｊに抜け不能に係止されているため、ケース１５を破壊するか導電部材１６を切断しなければ、鍵１をホルダ２Ｊから外せない。使用者甲が、例えば、不正に持ち出したホルダ２Ｊの導電部材１６Ｊを引っ張ってケース１５Ｊから外し、鍵１をホルダ２Ｊから取り外すと、ケース１５が変形したり破壊される。そのため、使用者甲が第３及び第４端子１３Ｊ，１４Ｊを導通させるように導通部材１６Ｊをケース１５Ｊに付け直し、そのホルダ２Ｊを鍵管理ボックス３０のホルダ孔ユニット３８Ｊに返却した場合に、ＩＣタグデータ読み取り手段４２ＪがＩＣタグ１０ＪからＩＣタグデータを読み取ったとしても、ケース１５の変形や破壊された様子から、ホルダ２Ｊに不正が行われたことがわかる。コントローラ４４は、開閉扉３１が開閉される度にホルダ２の使用履歴を履歴記憶部５２に記憶している（Ｓ１４）。よって、ホルダ２Ｊの変形や破損により異常に気付いた管理者は、履歴記憶部５２の使用履歴データを確認すれば、ホルダ２Ｊをアクセス権なく持ち出した使用者甲を特定し、責任追及を行うことができる。
【００６５】
＜導電部材切断による鍵の不正持ち出し＞
使用者甲が、アクセス権のないホルダ２Ｊの鍵１を不正に持ち出すために、ホルダ２Ｊをホルダ孔ユニット３８Ｊに装着したまま導電部材１６Ｊを切断すると、ホルダ２ＪのＩＣタグ１０Ｊに電流が流れなくなるため、コントローラ４４は、扉開閉後にホルダ２の有無を検知する場合に、ＩＣタグデータ読み取り手段４２ＪがＩＣタグ１０Ｊのデータを読み取らない。よって、コントローラ４４は、ホルダ２Ｊが無いことを検知する（Ｓ８）。そして、開閉扉３１の開閉前後でホルダ２ＪのＩＣタグデータが減少するため、直近のホルダ有無検知データと現在のホルダ有無検知データとが一致しない（Ｓ９；Ｎｏ）。しかも、扉開閉前後で減ったホルダ２ＪのＩＣタグデータは、使用者甲がアクセス権を有するホルダ２Ａ，２ＣのＩＣタグデータに一致せず、コントローラ４４は、ホルダ２Ｊが、使用者甲がアクセス権を有するものでないことを認識する（Ｓ１０：Ｎｏ）。そこで、コントローラ４４は、例えば、図７に示すように、「ホルダ２Ｊに異常があります。ホルダ２Ｊの収納状態を確認して下さい。」との異常警告画面を液晶表示部３４に表示すると共に、警告アラームを発する等して、使用者甲に異常を警告する（Ｓ１１）。切断した導電部材１６Ｊは元に戻せないので、異常が解消されない（Ｓ１２：Ｎｏ）。そこで、使用者甲のアクセス権がないホルダ２ＪであってＩＣタグデータ読み取り手段４２がＩＣタグデータを読み取れなくなったホルダ２ＪのＩＣタグデータを、開閉扉３１の開閉時間と共に、貸出時認証データに関連付けて、異常検知情報記憶部５３に記憶する。これにより、異常検知情報記憶部５３の異常検知情報から、使用者甲がいつホルダ２Ｊの導電部材１６Ｊを切断したかを特定できるようになる。更に、コントローラ４４は、開閉扉３１の開閉時間と、ＩＣタグデータ読み取り手段４２がＩＣタグデータを読み取れなくなったホルダ２ＪのＩＣタグデータとを、貸出時認証データに関連付けて記憶する（Ｓ１４）。これにより、異常検知情報が異常検知情報記憶部５３と履歴記憶部５２に二重に残され、セキュリティレベルが向上する。
【００６６】
尚、使用者甲は、正当に持ち出したホルダ２Ａを返却する時にも、上記のような不正を行うことが可能である（Ｓ１：Ｙｅｓ、Ｓ２：返却ボタン押下、Ｓ１６：Ｙｅｓ、Ｓ１７、Ｓ４、Ｓ５：Ｙｅｓ、Ｓ６：Ｙｅｓ、Ｓ７）。この場合も、上記ホルダ貸出時と同様にＳ９〜Ｓ１４の処理を実行することにより、使用者甲がホルダ２Ｊに不正をはたらいたことを使用履歴データから特定し、責任追及することが可能である。
【００６７】
＜データ読み取り不良発生＞
次に、使用者甲がホルダ２を持ち出すときに接触不良が生じた場合について説明する。
例えば、ＩＣタグデータ読み取り手段４２ＪやＩＣタグ１０Ｊの第１〜第４端子１１Ｊ〜１４Ｊ、導電部材１６Ｊの両端部１６ａ，１６ｂに酸化膜が生成された場合、ＩＣタグデータ読み取り手段４２Ｊとホルダ２Ｊの第１及び第２端子１１Ｊ，１２Ｊ、又は／及び、第３及び第４端子１３Ｊ，１４Ｊと導電部材１６Ｊの両端部１６ａ，１６ｂに接触不良が生じる。
【００６８】
使用者甲がアクセス権のあるホルダ２Ａを持ち出す場合に、アクセス権のないホルダ２Ｊに接触不良が生じると、ＩＣタグデータ読み取り手段４２ＪがＩＣタグ１０ＪからＩＣタグデータを読み取れなくなる。この場合、コントローラ４４は、ホルダ２Ｊの異常を検知し、異常警告を発する（Ｓ８、Ｓ９：Ｎｏ、Ｓ１０：Ｎｏ、Ｓ１１）。接触不良を放置すると、使用者甲は、ホルダ２Ｊの導電部材１６Jを切断したと誤認識される。そこで、使用者甲は、ＩＤカードをＩＤカード読み取り部３２にかざして返却ボタン２９を押し、開閉扉３１を再度開き、ホルダ２Ｊをホルダ装着孔３５Ｊ内でがたつかせて接触不良の解消を試みる。接触不良が解消すると（Ｓ１２：Ｙｅｓ）、コントローラ４４は、異常警告画面を消去して警告アラームを停止させ、警告を解除する（Ｓ１８）。そして、使用者甲が開閉扉３１を開閉した時間とホルダ２Jが返却されたことを返却時認証データに関連付けて、履歴記憶部５２に記憶する。これにより、ホルダ２Ｊの異常状態が使用者甲によって解消されたことを履歴記憶部５２の使用履歴データから把握でき、使用者甲は責任追及を免れる。
【００６９】
接触不良を解消できない場合には、コントローラ４４が異常警告を発し続ける。そこで、使用者甲は、責任追及を免れるために、鍵管理ボックス３０の管理者に連絡し、ホルダ２Ｊの異常を知らせる。この結果、鍵管理ボックス３０は、ホルダ２Ｊの接触不良が早期に解消され、ホルダ２の異常を誤検知する頻度が少なくなる。
【００７０】
＜その他＞
尚、使用者甲が、開閉扉３１を開閉しても、ホルダ２の貸出又は返却を行わず、しかも、導電部材１６を切断していない場合には、直近のホルダ有無検知データと現在のホルダ有無検知データとが一致する（Ｓ９：Ｙｅｓ）。この場合には、開閉扉３１の開閉時間を、使用者甲の個人認証に用いた認証データに関連付けて履歴記憶部５２に記憶する（Ｓ１４）。これにより、使用者甲が、何時開閉扉３１を開閉したか、また、開閉扉３１の開閉時に異常が生じなかったことを、後で使用履歴データから確認できるようになる。
【００７１】
＜作用効果＞
以上説明したように、上記鍵管理ボックス３０は、通常、開閉扉３１が閉じられ、本体３に設けられたホルダ装着孔３５に装着されたホルダ２が開閉扉３１の内側に配置されているため、導電部材１６を切断して鍵１を持ち出すことはできない。ＩＤカード読み取り部３２がＩＤカードの認証データを読み取って個人認証に成功すると、開閉扉３１の開閉が許可され、開閉扉３１を開いてホルダ２を外部に開放できるようになる。開閉扉３１を開いた場合に、例えば、使用者がアクセス権を有するホルダ２以外のホルダ２の導電部材１６を切断して鍵１を持ち出すと、導電部材１６を切断されたホルダ２の第１及び第２１１，１２に接触するＩＣタグデータ読み取り手段４２がＩＣタグ１０からＩＣタグデータを読み取れなくなり、ホルダ２の異常が検知される。そこで、コントローラ４４は、ＩＣタグデータ読み取り手段４２が読み取った認証データを異常検知情報記憶部５３に記憶し、誰が導電部材１６を切断したかを履歴に残す。よって、上記鍵管理ボックス３０によれば、導電部材１６が切断されていることを発見した場合に、異常検知情報記憶部５３に記憶したデータを読めば、導電部材１６を切断した使用者を特定し、責任追及することができるので、鍵１が導電部材１６を切断されて不正に持ち出される危険に晒され難くなり、セキュリティレベルを引き上げることができる。
【００７２】
上記鍵管理ボックス３０は、開閉扉３１を開閉しなければ、ホルダ２を外部に開放して導電部材１６を切断することができないので、開閉扉３１が閉じられた後に、検知できなくなったホルダ２にアクセス権があったか否かを調べ、ホルダ２の異常を検知する。このように、上記鍵管理ボックス３０は、異常発生率が高いと考えられるときにホルダの異常確認を適宜行うので、少ない消費エネルギーでホルダ２の異常を効率よく検知することができる。
【００７３】
上記鍵管理ボックス３０は、ホルダ２の返却時にＩＤカード読み取り部３２が読み取った返却時認証データが、履歴記憶部５２に記憶されている貸出時認証データに一致した場合に、開閉扉３１の開閉を許可するので、ホルダ２を貸し出された使用者が、貸し出されたホルダ２を必ず返却することになり、貸し出されたホルダ２の鍵１が紛失した場合等の責任の所在が明確である。よって、上記鍵管理ボックス３０によれば、使用者が、貸し出されたホルダ２を注意深く管理するようになり、ホルダ２の又貸しによる鍵１の紛失等を防止することができる。
【００７４】
上記鍵管理ボックス３０は、アクセス権のないホルダ２のＩＣタグデータをＩＣタグデータ読み取り手段４２が読み取らなくなった場合に異常を警告する。そのため、例えば、２本の端子１１，１２とＩＣタグデータ読み取り手段４２との接触不良により、ＩＣタグデータ読み取り手段４２がＩＣタグデータを読み取れなくなった場合に、使用者が、アクセス権のないホルダ２の導電部材１６を切断した責任追及を免れるために、接触不良を解消する等の処置を行う。よって、上記鍵管理ボックス３０によれば、ＩＣタグデータ読み取り手段４２と２本の端子１１，１２との接触不良が放置されず、ホルダ２の異常を検知する精度を維持できる。
【００７５】
上記鍵管理ボックス３０は、複数の鍵１が挿通された導電部材１６が、第３及び第４端子１３，１４に接触するようにホルダ２に挿入され、収容開口部１５ａ，１５ｂの内壁に引っ掛けられて係止されている。鍵１をホルダ２から外すために、導電部材１６をホルダ２への挿入方向と反対方向に無理矢理引っ張ると、ケース１５が破壊される。よって、上記鍵管理ボックス３０によれば、ホルダ２に不正を働くと、その痕跡がホルダ２に残り、ホルダ２の異常を早期に発見できる。
【００７６】
（第２実施形態）
続いて、本発明の第２実施形態について説明する。鍵管理ボックス３０の制御構成を図８に示す。
第２実施形態の鍵管理ボックス３０は、ホルダ孔ユニット３８（３８Ａ〜３８Ｊ）のホルダ装着孔３５（３５Ａ〜３５Ｊ）にホルダロック手段４１（４１Ａ〜４１Ｊ）が設けられ、通常、ホルダ２（２Ａ〜２Ｊ）をホルダ装着孔３５（３５Ａ〜３５Ｊ）から抜くことができないようにしている。コントローラ５５（認証手段、開閉許可手段、ホルダ有無検知手段、ロック解除手段、異常検知情報記憶手段、ホルダ貸出情報記憶手段、異常警告手段の一例）には、ホルダロック手段４１（４１Ａ〜４１Ｊ）が電気的に接続されている。ＲＯＭ４６には、ホルダロック手段４１のロック動作及びロック解除動作を含めて鍵１の管理を行うための制御プログラム５６が記憶されている。
【００７７】
制御プログラム５６のフロー図を図９に示す。
鍵管理ボックス３０は、ＩＤカードから認証データを読み取ると制御プログラム５６を起動する。例えば、使用者甲が、ＩＤカードをＩＤカード読み取り部３２にかざして貸出ボタン２８を押すと、コントローラ５５は、ＩＤカードから読み取った認証データに基づいて個人認証を行う。コントローラ５５は、個人認証に成功すると、使用者甲がアクセス権を有するホルダ２（ここでは、使用者甲はホルダ２Ａ，２Ｃについてアクセス権を有するものとする。）を収納するホルダ孔ユニット３８Ａ、３８ＣのＬＥＤ４３Ａ，４３Ｃを点灯させると共に、ホルダロック手段４１Ａ，４１Ｃによるロックを解除し、ホルダ２Ａ，２Ｃを取り出せるようにする（Ｓ１：Ｙｅｓ、Ｓ２：貸出ボタン押下、Ｓ２１）。そこで、使用者甲は、開閉扉３１を開き、所望のホルダ２Ａをホルダ装着孔３５Ａから抜き、開閉扉３１を閉じる。コントローラ５５は、開閉扉３１が閉じられたことを検出すると、扉ロック部２７と全てのホルダロック手段４１Ａ〜４１Ｊをロック状態にする。これにより、開閉扉３１がこじ開けられても、ホルダ２をホルダ装着孔３５から抜いて持ち出せないようになる。Ｓ８以降の処理は、第１実施形態で説明した＜鍵の貸出＞と同様であるので、説明を省略する。
【００７８】
使用者甲は、持ち出したホルダ２Ａを使って所望の資料を保管庫から取り出した後、ホルダ２Ａを返却する場合、ＩＤカードをＩＤカード読み取り部３２にかざし、返却ボタン２９を押す。コントローラ５５は、ＩＤカードの認証データに基づいて個人認証に成功すると、履歴記憶部５２の使用履歴データから使用者甲に貸し出したホルダ２Ａを特定し、ホルダ２Ａに対応するホルダ孔ユニット３８Ａに設けられたホルダロック手段４１Ａのロックを解除すると共に、ＬＥＤ４３Ａを点灯した後、扉ロック部２７のロックを解除する（Ｓ１：Ｙｅｓ、Ｓ２：返却ボタン押下、Ｓ２２、Ｓ４）。使用者が開閉扉３１を開くと、アクセス権を有しないホルダ２Ｂ、２Ｄから２Ｊと使用者甲に貸し出していないホルダ２Ｃは、ホルダロック手段４１Ｂ〜４１Ｊにロックされ、ホルダ孔ユニット３５Ｂ〜３５Ｊから抜いて持ち出すことができない。使用者甲は、持ち出したホルダ２Ａを対応するホルダ孔ユニット３８Ａに差し込み、開閉扉３１を閉じる。すると、開閉扉３１が扉ロック部２７にロックされ、開かなくなる（Ｓ５：Ｙｅｓ、Ｓ６：Ｙｅｓ、Ｓ２３）。Ｓ８以降の処理は、第１実施形態で説明した＜鍵の返却＞と同様であるので、説明を省略する。
【００７９】
このような本実施形態の鍵管理ボックス３０は、例えば、ホルダ２Ｂのみにアクセス権を有する使用者丙が、ホルダ２Ａを使用者甲から借りて使用した後、使用者丙のＩＤカードをＩＤカード読み取り部３２にかざして返却ボタン２９を押し、ホルダ２Ａを鍵管理ボックス３０に返却しようとした場合、ホルダロック手段４１Ｂのロックのみが解除され、ホルダロック手段４１Ａのロックは解除されない。そのため、返却しようとするホルダ２Ａに対応するホルダ装着孔３５Ａがホルダロック手段４１Ａに遮られ、使用者丙は、ホルダ２Ａをホルダ装着孔３５Ａに挿し込んで返却することができない。よって、上記態様の鍵管理ボックス３０によれば、ホルダ２Ａを借りた使用者甲がそのホルダ２Ａを返却する義務を負うことになり、貸し出し中のホルダ２Ａに関するトラブル（紛失や不正使用等）の責任が使用者甲にあることが明確なので、鍵１を安全に管理できるようになる。
【００８０】
尚、本実施形態の鍵管理ボックス３０は、使用者甲が開閉扉３１を開閉するとき、使用者甲がアクセス権を有しないホルダ２Ｂ，２Ｄ〜２Ｊがホルダロック手段４１Ｂ，４１Ｄ〜４１Ｊにロックされて出し入れできないようにされている。そのため、使用者甲は、例えば、ホルダ２Ｊに取り付けられた鍵１を不正に持ち出そうとすると、ホルダ２Ｊをホルダ孔ユニット３８Ｊに装着したまま導電部材１６Ｊを切断するか、導電部材１６Ｊを無理に引っ張ってホルダ２Ｊを破壊するしかない。よって、本実施形態の鍵管理ボックス３０は、ホルダ２に異常が発生する現場を限定させ、ホルダ２の異常を早期に発見できる。
【００８１】
（第３実施形態）
続いて、本発明の第３実施形態について説明する。図１０は、本発明の第３実施形態に係る鍵管理ボックス３０の制御の構成ブロック図である。
第３実施形態の鍵管理ボックス３０は、設定時間によりホルダ２の異常を検知するタイミングを管理するように、コントローラ６１（認証手段、開閉許可手段、ホルダ有無検知手段、異常検知情報記憶手段、ホルダ貸出情報記憶手段、異常警告手段の一例）の構成が、第１実施形態のコントローラ４４と相違している。
コントローラ６１は、時間を計測するタイマ６２を備える。また、コントローラ６１のＲＯＭ４６には、時間でホルダ２の異常確認を管理する制御プログラム６３が格納されている。
【００８２】
図１１は、制御プログラム６３のフロー図である。ここでは、第１実施形態の制御プログラム５０と異なる処理について説明する。
コントローラ６１は、個人認証に成功すると（Ｓ１：Ｙｅｓ）、タイマ６２をリセットする（Ｓ３１）。貸出ボタン２８が押されて、開閉扉３１が開かれると、コントローラ６１は、タイマ６２により時間を計測し始める。（Ｓ２：貸出ボタン押下、Ｓ３、Ｓ４、Ｓ５：Ｙｅｓ、Ｓ３２）。
【００８３】
そして、コントローラ６１は、第１実施形態と同様に、Ｓ８〜１０の処理を実行し、ホルダ２の異常を検知する。ホルダ２の異常を検知しない場合には、タイマ６２の計測時間に基づいて設定時間が経過したか否かを判断する（Ｓ９：Ｙｅｓ、Ｓ１０：Ｙｅｓ、Ｓ３５）。設定時間が経過していない場合には（Ｓ３５：Ｎｏ）、開閉扉３１が閉状態か否かを判断する（Ｓ３７）。開閉扉３１が閉じられていない（開いている）場合には（Ｓ３７：Ｎｏ）、使用者がホルダ２を持ち出す途中であると考えられるので、Ｓ８へ戻り、ホルダの有無を再検知する。一方、設定時間が経過する前に、開閉扉３１が閉じられた場合には、ホルダ２の貸出使用履歴データを履歴記憶部１４に記憶する（Ｓ３５：Ｎｏ、Ｓ３７：Ｙｅｓ、Ｓ１４）。
【００８４】
異常を検知しなくても、設定時間が経過した場合には（Ｓ９：Ｙｅｓ、Ｓ１０：Ｙｅｓ、Ｓ３５：Ｙｅｓ）、開閉扉３１が閉め忘れられたか、ホルダが不正に持ち出される危険に晒されていると考えられる。そこで、コントローラ６１は開閉扉異常警告を発する（Ｓ３６）。開閉扉異常警告の方法は第１実施形態と同様（図５のＳ１１参照）である。そして、開閉扉３１が閉じられたかを確認する（Ｓ３７）。開閉扉３１が閉じられた場合には（Ｓ３７：Ｙｅｓ）、開閉扉異常警告を発生したまま、開閉扉３１を扉ロック部２７でロックし、使用履歴データを履歴記憶部５２に記憶する。これに対して、開閉扉異常警告発生後、開閉扉３１が開いたままである場合には（Ｓ３５：Ｙｅｓ、Ｓ３６、Ｓ３７：Ｎｏ）、ホルダ２が不正に持ち出される可能性が高いので、コントローラ６１は、Ｓ８の処理に戻って、開閉扉異常警告を発生した状態で、ホルダ２の監視を続ける。
【００８５】
ホルダ２の異常を検知した場合には、異常警告を発生し、異常検知情報を異常検知情報記憶部５３に記憶する（Ｓ９：Ｎｏ、Ｓ１０：Ｎｏ、Ｓ１１、Ｓ１３）。そして、異常が解消したか否かを判断する（Ｓ３３）。例えば、使用者がアクセス権のないホルダ２の接触不良を解消した場合には、異常が解消される。このように異常が解消された場合には、異常警告を解除し、所定時間が経過したか否かを判断する（Ｓ３３：Ｙｅｓ、Ｓ３４、Ｓ３５）。Ｓ３５以降の処理は、上記と同様なので説明を省略する。
【００８６】
これに対して、異常が解消されない場合には、Ｓ３５へ進み、設定時間が経過したか否かを確認する。設定時間が経過していない場合には、異常警告を維持したまま、開閉扉３１が閉じられたか否かを判断する。（Ｓ３５：Ｎｏ、Ｓ３７）。一方、設定時間が経過した場合には、異常警告に加え、開閉扉異常警告が発してから、開閉扉３１が閉じられたか否かを判断する（Ｓ３５：Ｙｅｓ、Ｓ３６、Ｓ３７）。Ｓ３７以降の処理は、上記と同様なので説明を省略する。
【００８７】
以上説明したように、本実施形態の鍵管理ボックス３０は、工具等で導電部材１６を切断する場合、アクセス権のあるホルダ２をホルダ装着孔３５から取り出す場合と比べ、開閉扉３１を開く時間が長くなる。そのため、上記鍵管理ボックスは、開閉扉３１を開いてから時間をタイマ６２で計測し、計測時間が設定時間を経過した場合に開閉扉異常警告を発生させている。この開閉扉異常警告は、使用者がアクセス権のあるホルダ２を鍵管理ボックス３０に出し入れした場合でも、発せられる。よって、本実施形態の鍵管理ボックス３０によれば、使用者は、責任を免れるために、開閉扉３１を自発的に短時間で開閉するようになり、ホルダ２が導電部材１６を切断される危険にさらされる時間を短くできる。
【００８８】
（第４実施形態）
続いて、本発明の第４実施形態について説明する。ホルダ７１の概略構成を図１２に示す。
第４実施形態の鍵管理ボックス３０は、ホルダ７１のみが第１実施形態と相違する。よって、ここでは、ホルダ７１について説明し、その他の説明を省略する。
ホルダ７１の樹脂製ケース７２には、第１端子１１がＩＣタグ１０、第３端子１３、導電部材７６、係合部材７７、係止部材（係止部の一例）７４を介して第２端子１２に導通する回路が内設されている。ケース７２は、インサート成形により、導電部材７６の一端が第３端子１３に接触した状態で一体に設けられている。導電部材７６は、ケース７２から露出する部分が絶縁カバー１６ｃに覆われて絶縁されている。
【００８９】
係合部材７７は、導電部材７６の他端にかしめ固定されている。係合部材７７は、導電性金属材料からなり、同じく導電性金属材料からなる係止部材７４（係止部の一例）を介して第２端子１２と導通している。ケース７２は、第１及び第２端子１１，１２が設けられた側面と対向する側面に挿入孔７２ａが開設され、その挿入孔７２ａに略円柱形状の係合部材７７が挿入されている。ケース７２は、挿入孔７２ａの内壁に、係止部材７４を配置するための係止部材配置孔７２ｂが開口している。係止部材配置孔７２ｂは、挿入孔７２ａに対して直交するように設けられている。係止部材７４は、係合部材７７が挿入される方向に対して交差する方向にスライドするように、係止部材配置孔７２ｂ内に収納されている。係止部材配置孔７２ｂ内には、圧縮ばね７５が縮設され、係止部材７４を係止部材配置孔７２ｂから挿入孔７２ａへ突出させるように常時付勢している。係止部材７４は、外周面に環状に設けられた鍔部７４ｂを、係止部材配置孔７２ｂの開口部に設けられたストッパ７２ｃに突き当てることにより、挿入孔７２ａに突出する量が規制されている。係止部材７４は、挿入孔７２ａに突出する部分であって挿入孔７２ａの開口部側に、テーパ７４ａが設けられている。そして、係合部材７７には、テーパ７４ａに対応する傾斜を備える円錐面７７ａが先端部外周に設けられている。係合部材７７は、円錐面７７ａより後端側の外周面に、係止部材７４に係合する係合溝７７ｂが環状に設けられている。
【００９０】
このようなホルダ７１は、製造時にはまだ、係合部材７７が挿入孔７２ａに挿入されず、導電部材７６の他端が解放されている。ホルダ７１は、導電部材７６が複数の鍵１に挿通され、係合部材７７を挿入孔７２ａに挿入して係止部材７４に係合させることにより、複数の鍵１が取り付けられる。係合部材７７を挿入孔７２ａに挿入するとき、係合部材７７の円錐面７７ａが係止部材７４のテーパ７４ａに付き当てられると、係合部材７７の挿入方向への力が、挿入方向に対して直交する方向に変換されて係止部材７４に伝達され、係止部材７４が圧縮ばね７５を圧縮させながら係合部材配置孔７２ｂ内へ後退する。これにより、係合部材７７は、係止部材７４を超えて、挿入孔７２ａに挿し込まれる。係合部材７７の係合溝７７ｂが係止部材７４に達すると、係止部材７４が圧縮ばね７５のばね力により挿入孔７２ａ内へ突出し、係合溝７７ｂに係合する。これにより、係止部材７４が係合溝７７ｂの溝壁に常時接触し、係合部材７７と係止部材７４の間に電流を流すことができる。そして、係合部材７７を挿入孔７２ａから抜く方向に引っ張っても、係止部材７４が係合溝７７ｂの溝側壁に面接触して引っ掛かるため、係合部材７７をケース７２から抜くことができない。つまり、係合部材７７をケース７２から抜いて鍵１をホルダ７１から外すことができない。
【００９１】
以上説明したように、第４実施形態の鍵管理ボックス３０は、鍵１をホルダ７１から外すために、導電部材７６をホルダ７１への挿入方向と反対方向に引っ張ると、係止部材７４が係合部材７７に引き上げられてケース７２を変形させたり、破壊させる。よって、本実施形態の鍵管理ボックス３０によれば、例えば、アクセス権のないホルダ７１を鍵管理ボックス３０から抜いて、ホルダ７１から導電部材７６を無理矢理引っ張って係合部材７７と係止部材７４の係合状態を解除し、鍵１を取り出した後、第３端子１３と係止部材７４を配線で接続する細工をホルダ７１に施し、そのホルダ７１を鍵管理ボックス３０に返却したとしても、ホルダ７１の変形や破壊痕からホルダ７１に不正を働いた痕跡が残り、ホルダ７１の異常を早期に発見できる。
そして、ホルダ７１の不正を発見した後は、履歴記憶部５２に記憶されている履歴データから、ホルダ７１を使用した人と特定し、ホルダ７１に不正をはたらいた者を絞り込むことができる。
【００９２】
（第５実施形態）
本発明の第５実施形態について説明する。ホルダ８１の外観斜視図を図１３に示し、ホルダ８１の概略構成を示す図を図１４に示す。
第５実施形態の鍵管理ボックス３０は、図１３及び図１４に示すホルダ８１のみが第１実施形態と相違する。よって、ここでは、ホルダ８１について説明し、その他は説明を省略する。
図１３に示すホルダ８１は、ケース８２から露出するラック（導電部材の一例）８５に複数の鍵１が取り付けられている。ＬＥＤ８６は、鍵管理ボックス３０にホルダ８１を収納したときに使用者の目に付きやすいように、ホルダ８１のラック８５が露出する面に取り付けられている。
【００９３】
図１４に示すように、ホルダ８１の樹脂製ケース８２は、第１及び第２端子１１，１２が、一対の金属製ピニオン８３Ａ，８３Ｂとラック８５を介して導通し、ラック８５に設けられたＩＣタグ１０のＩＣタグデータを読み取れるようになっている。ケース８２には、ラック８５の両端部が挿入される２本の挿入孔８２ａ，８２ｂが平行に形成されている。一対のピニオン８３Ａ，８３Ｂは、挿入孔８２ａ，８２ｂの内壁に設けられた開口部８２ｃから歯の一部を露出させるように配置され、回転軸８４Ａ，８４Ｂ（第１及び第２導電用端子の一例）に回転自在に軸支されている。一対のピニオン８３Ａ，８３Ｂは、ラック８５を挿入孔８２ａ，８２ｂに挿入する方向へのみ回転するようになっている。第１端子１１は、ＬＥＤ８６を介して回転軸８４Ａに通電可能に接続され、第２端子１２は、回転軸８４Ｂに通電可能に接続されている。金属製のラック８５は、歯８５ａをピニオン８３Ａ，８３Ｂに噛合させることにより、回転軸８４Ａ，８４Ｂを導通させる。ホルダ８５は、ホルダ８１から露出する部分に絶縁カバー１６ｃが装着されている。
【００９４】
このようなホルダ８１は、複数のメカニカルな鍵１に挿通されたラック８５の両端部を挿入孔８２ａ，８２ｂに挿入すると、ラック８５の歯８５ａがピニオン８３Ａ，８３Ｂに噛み合い、ピニオン８３Ａ，８３Ｂを回転させながら挿入孔８２ａ，８２ｂに深く挿入される。これにより、ホルダ８１に複数の鍵１が取り付けられる。
【００９５】
このようなホルダ８１を鍵管理ボックス３０のホルダ装着孔３５に挿入し、第１及び第２端子１１，１２がＩＣタグデータ読み取り手段４２に接触すると、ホルダ８１は、ＩＣタグデータ読み取り手段４２から供給される電流が第１端子１１からＬＥＤ８６、回転軸８４Ａ、ピニオン８３Ａ、ラック８５、ＩＣタグ１０、ピニオン８３Ｂ、回転軸８４Ｂを介して第２端子１２へ流れ、ＩＣタグ１０のＩＣタグデータが読み取られる。この場合、ＬＥＤ８６が、ＩＣタグ１０に流れる電流により点灯するので、使用者は、ＬＥＤ８６が点灯していることによりＩＣタグデータが正常に読み取られたことを確認できる。
【００９６】
鍵管理ボックス３０は、一対のピニオン８３Ａ，８３Ｂがラック８５の挿入方向へのみ回転するため、鍵１を取り外すためにラック８５を挿入方向と反対方向へ無理に引っ張ると、一対のピニオン８３Ａ，８３Ｂと一対の回転軸８４Ａ，８４Ｂがラック８５に引っ張られてケース８２を変形させたり破壊させる。よって、ホルダ８１への不正の痕跡がホルダ８１に残り、ラック８５をホルダ８１に入れ直してホルダ８１を鍵管理ボックス３０に返却したとしても、当該ホルダ８１に不正が行われたことがケース８２の変形や破損等から分かり、ホルダ８１の不正を早期に発見できる。
【００９７】
しかも、アクセス権のないホルダ８１から鍵１を不正に取り外すために、ホルダ孔ユニット３８に装着されたホルダ８１からラック８５が抜かれると、ＩＣタグ１０がラック８５と一緒に外されるため、鍵管理ボックス３０は、ＩＣタグデータ読み取り手段４２が当該ホルダ８１からＩＣタグデータを読み取れなくなり、当該ホルダ８１の異常を検知できる。
【００９８】
ところで、例えば、第１及び第２端子１１，１２やピニオン８３Ａ，８３Ｂ、回転軸８４Ａ，８４Ｂ、ラック８５に酸化膜が形成され、接触不良が生じた場合には、ホルダ８１の異常を検知する。この場合、鍵管理ボックス３０のＬＥＤ４３が点灯していても、ホルダ８１のＬＥＤ８６が点灯しないため、使用者は、ホルダ８１に接触不良が生じていることを直ぐに認識し、適切な処理を試みることができる。
【００９９】
尚、本実施形態の鍵管理ボックス３０は、ラック８５にＩＣタグ１０を設けているため、例えば、ラック８５を押し込んで歯８５ａとピニオン８３Ａ，８３Ｂとの係合を解除させ、ケース８２から突出するラック８５の両端部を切り落としてラック８５をホルダ８１から取り外し、別のラック８５を挿入孔８２ａ，８２ｂに挿入してラック８５を交換すれば、ＩＣタグデータを簡単に変更し、異なる種類のホルダ８１を安価に製造できる。また、この場合、ケース８２を共通化してコストダウンを図ることができる。
【０１００】
（第６実施形態）
続いて、本発明の第６実施形態について説明する。ホルダ９１の概略構成を図１５に示す。
第６実施形態の鍵管理ボックス３０は、ホルダ９１のみが第１実施形態と相違する。よって、ここではホルダ９１について説明する。
ホルダ９１は、樹脂製ケース９２を備え、第１端子１１がＩＣタグ１０、第３端子（第１導電用端子の一例）９３、導電部材９６、第４端子（第２導電用端子の一例）９４を介して第２端子１２に通電可能に接続されている。
【０１０１】
ケース９２は、第４端子９４に導電部材９６の一端を接触させて導電部材９６をインサート成形されている。ケース９２は、導電部材９６の他端が挿入される挿入孔９２ａを有する。挿入孔９２ａの底部には、第３端子９３が固定され、導電部材９６の他端に設けられた係合部材９７が第３端子９３に係合されて、ＩＣタグ１０と第１端子１１に通電可能に接続されるようになっている。係合部材９７は、円錐形に形成された先端部の外周面に、先端側に傾斜が設けられた歯９７ａが形成されている。第３端子９３は、係合部材９７の歯９７ａに嵌合する歯孔９３ａが形成され、歯孔９３ａに歯９７ａを噛合させた係合部材９７が第３端子９３から簡単に抜けないようにしている。挿入孔９２ａは、第３端子９３の上方に、樹脂製の係止部材（係止部の一例）９５が突設されている。係止部材９５は、くの字形をなし、先端部が挿入孔９２ａの底側へ向くように配置されて、ケース９２に固定されている。係止部材９５の先端部には、挿入孔９２ａの内壁との間で導電部材９６を挟み込んで支持するための挟み込み溝９５ａが形成されている。
【０１０２】
このようなホルダ９１は、複数の鍵１を導電部材９６に挿通し、係合部材９７を挿入孔９２ａに挿入すると、係合部材９７が係止部材９５を撓ませながら挟み込み溝９５ａに挿通され、第３端子９３に係合される。これにより、第３端子９３が導電部材９６を介して第４端子９４に導通する。係止部材９５は、係合部材９７が挟み込み溝９５ａを通過すると、係合部材９７の挿入方向への力を解除されて元の形状に復元し、係合部材９７と挿入孔９２ａの開口部との間に先端部を配置する。係合部材９７は、歯９７ａと第３端子９３の歯孔９３ａとの噛合により第３端子９３から抜けにくいが、更に、係止部材９５に挿入孔９２ａの開口側端面を押さえられて挿入孔９２ａから抜けにくくされている。このようなホルダ９１は、導電部材９６を挿入孔９２ａから抜く方向へ過剰に引っ張ると、係合部材９７が係止部材９５を破壊されたり、或いは、導電部材９６が係合部材９７との接続部分から切れて破壊され、鍵１を不正に交換することができない。
【０１０３】
（第７実施形態）
続いて、本発明の第７実施形態について図面を参照して説明する。ホルダ１２１の概略構成を図１６に示す。
第７実施形態の鍵管理ボックス３０は、ホルダ１２１のみが第１実施形態と相違している。ホルダ１２１は、導電性金属からなる導電部材１２４の一端が第４端子１４に接触した状態で固定されている。導電部材１２４の他端には、導電性金属からなる係合ねじ部材１２５がかしめ固定され、係合ねじ部材１２５に螺合する係止ナット部材１２３が樹脂製ホルダ１２２に設けられている。係止ナット部材１２３は、導電性金属で形成され、ケース１２２に設けられた窓１２２ｂから一部が露出した状態でケース１２２に回転可能に保持されている。
【０１０４】
このようなホルダ１２１は、導電部材１２４を複数の鍵１に挿通した後、係合ねじ部材１２５をケース１２２の挿入孔１２２ａに挿入して係止ナット部材１２３に挿入し、窓１２２ｂから露出する係止ナット部材１２３を回転させる。これにより、係止ナット部材１２３と係合ねじ部材１２５とが螺合し、第１端子１１がＩＣタグ１０、係止ナット部材１２３、係合ねじ部材１２５、導電部材１２４、第４端子１４を介して第２端子１２と導通し、ＩＣタグ１０のＩＣタグデータを読み取るための回路が形成される。係止ナット部材１２３は、係合ねじ部材１２５に螺合された後、押し潰されて、ケース１２２内で回転できないようにされる。これにより、ホルダ１２１は、導電部材１２４がホルダ１２１から抜けなくなり、勝手に鍵１がホルダ１２１に着脱されなくなる。
【０１０５】
このような本実施形態の鍵管理ボックス３０は、鍵１をホルダ１２１から外すために、導電部材１２４をホルダ１２１への挿入方向と反対方向に引っ張ると、係止ナット部材１２３が係合ねじ部材１２５に引っ張られてケース１２２を変形させたり、破壊させる。よって、本実施形態の鍵管理ボックス３０によれば、ホルダ１２１に不正を働くと、その痕跡がホルダ１２１に残り、ホルダ１２１の異常を早期に発見できる。
【０１０６】
（第８実施形態）
続いて、本発明の第８実施形態について説明する。図１７は、本発明の第８実施形態に係り、ホルダ１３１の概略構成を示す図である。図１８は、ＩＣタグデータ読み取り手段１４１の概略構成を示す図である。
第８実施形態の鍵管理ボックス３０は、第１及び第２端子１１，１２の間にＩＣタグ１０を介して所定方向に電流を流す回路と、第１及び第２端子１１，１２の間にＩＣタグ１０を介さずに導電部材１３５を介して所定方向と反対方向に電流を流す回路をホルダ１３１に設け、鍵１の返却時にホルダ１３１の第１及び第２端子１１，１２の電極を交互に切り換えることによりホルダ１３１に流れる電流の向きを所定方向又は所定方向と反対方向に切り換え、所定方向と反対方向に電流を流した場合にＨレベル電圧を検知できるか否かにより、導電部材１３５が切断されたか否かを判断するものである。
【０１０７】
第８実施形態では、導電部材１６が切断されたホルダ２を鍵管理ボックス３０に返却すると、ホルダ２のＩＣタグ１０からＩＣタグデータを読み取ることができなくなる。これに対して、第８実施形態では、導電部材１３５が切断された場合、ホルダ１３１の第１及び第２端子１１，１２の間に所定方向の電流を流すことによりＩＣタグ１０からＩＣタグデータを読み取ることができ、一方、第１及び第２端子１１，１２の間に、所定方向と反対方向の電流を流したときに、Ｈレベルの電圧を検知できないことから、導電部材１３５の切断を検知できる。そのため、第８実施形態では、導電部材１３５が切断されたホルダ１３１を特定して履歴データを残し、セキュリティレベルを向上させることができる。
【０１０８】
＜ホルダの概略構成＞
図１７に示すように、ホルダ１３１は、第１端子１１からＩＣタグ１０とダイオード１３３を介して第２端子１２へ（所定方向へ）電流を流し、ＩＣタグ１０のＩＣタグデータが読み取られるように、電気回路が形成されている。また、ホルダ１３１は、ダイオード１３４とＬＥＤ１３２と第４端子１４と導電部材１３５と第３端子１３介して、第２端子１２から第１端子１１へ（所定方向と反対方向へ）電流を流し、ＩＣタグ１０に電流を流さずにＬＥＤ１３２を点灯させるように電気回路が形成されている。より具体的には、ホルダ１３１は、ＩＣタグ１０が導電部材１３５と並列に設けられ、ＬＥＤ１３２とダイオード１３４が導電部材１３５と直列に設けられている。
【０１０９】
＜データ読み取り手段の概略構成＞
ＩＣタグデータ読み取り手段１４１は、ホルダ１３１の第１端子１１を陽極にする回路と、図１８に示すようにホルダ１３１の第２端子１２を陽極にする回路を、プログラムで変更できるようになっている。図１８に示すように第２端子１２を陽極にする回路では、第１リード電極１４２は、ホルダ１３１の第１端子１１に接触し、第２リード電極１４３がホルダ１３１の第２端子１２に接触する。第２リード電極１４３は、ホルダ１３１の第２端子１２にＨレベル電圧（ここでは５Ｖ電圧）を印加する。Ｈ／Ｌ電圧判定手段１４５は、ダイオード１４４を介して第１リード電極１４２に接続され、第１リード電極１４２の電圧を監視する。抵抗１４６は、第１リード電極１４２とダイオード１４４との接点Ｐ１から分岐してグランドに接続される分岐配線上に設けられ、第１端子１１を介して第１リード電極１４２に作用する電圧を降下させている。
【０１１０】
＜動作説明＞
鍵管理ボックス３０は、ＩＤカード読み取り部３２から読み取った認証データに基づいて開閉扉３１を開くと、第１及び第２リード電極１４２，１４３を交互に陽極にするように、ＩＣタグデータ読み取り手段１４１に電極を切り換えさせる。ＩＣタグデータ読み取り手段１４１は、例えば、第１リード電極１４２を数ｓｅｃ陽極にした後、第２リード電極１４３を数ｍｓｅｃ陽極にする動作を繰り返す。
【０１１１】
返却者が、ホルダ１３１に不正を行わずにホルダ１３１を鍵管理ボックス３０に返却すると、ホルダ１３１の第１及び第２端子１１，１２が第１及び第２リード電極１４２，１４３に接触する。ＩＣタグデータ読み取り手段１４１が第１リード電極１４２を陽極にする間は、電流が第１リード電極１４２から第１端子１１、ダイオード１３３、ＩＣタグ１０、第２端子１２、第２リード電極１４３へと流れる。よって、ＩＣタグデータ読み取り手段１４１は、ＩＣタグ１０からＩＣタグデータを読み取ることができる。尚、この場合、ダイオード１３４によりＬＥＤ１３２に電流が流れず、ＬＥＤ１３２が点灯しない。
【０１１２】
一方、図１８に示すように、ＩＣタグデータ読み取り手段１４１が第２リード電極１４３を陽極にする間は、電流が第２リード電極１４３から第２端子１２、ＬＥＤ１３２、ダイオード１３４、第３端子１３、導電部材１３５、第４端子１４、第１端子１１を介して第１リード電極１４２へと流れる。このとき、抵抗１４６が接続する接点Ｐ１において減圧された電圧が第１リード電極１４２に作用し、Ｈ／Ｌ電圧判定手段１４５がＨレベル電圧が出力されたと判定する（Ｈレベル電圧を検知する）。このようにＨ／Ｌ電圧判定手段１４５がＨレベル電圧を検知した場合には、鍵管理ボックス３０は、導電部材１３５が切断されていないと判断し、ＩＤカード読み取り部３２が読み取った認証データと、返却されたホルダ１３１のＩＣタグ１０から読み取ったＩＣタグデータと、ホルダ１３１が返却された日時とを互いに関連付けて、履歴データとして履歴記憶部５２に記憶する。これにより、履歴記憶部５２の履歴データを参照すれば、当該ユーザが正常にホルダ１３１を返却したことを、確認できる。
【０１１３】
これに対して、返却者が、正当な権限を持ってホルダ１３１を鍵管理ボックス３０から持ち出し、導電部材１３５を切断してホルダ１３１から鍵１を取り外し、その不正を行ったホルダ１３１を鍵管理ボックス３０に返却した場合、ホルダ１３１の第１及び第２端子１１，１２が第１及び第２リード電極１４２，１４３に接触する。しかし、導電部材１３５が切断されたことにより、ホルダ１３１は、第１端子１１からＩＣタグ１０を介して第２端子１２へ電流が流れても、第２端子１２から導電部材１３５を介して第１端子１１へ電流が流れない。この場合、図１８に示す接点Ｐ１に電圧が作用せず、Ｈ／Ｌ電圧判定手段１４５はＨレベル電圧を検知できない。このようにＨ／Ｌ電圧判定手段１４５がＨレベル電圧を検知しない場合には、鍵管理ボックス３０は、導電部材１３５が切断されたと判断する。その後、ＩＣタグデータ読み取り手段１４１が、第１リード電極１４２を陽極に切り換えると、電流が第１端子１１からＩＣタグ１０を介して第２端子１２へ流れる。そのため、鍵管理ボックス３０は、ＩＣタグデータ読み取り手段１４１によりＩＣタグ１０からＩＣタグデータを読み取り、当該ホルダ１３１が返却されたことを確認する。このように、ホルダ１３１の返却と導電部材１３４の切断を確認した鍵管理ボックス３０は、ＩＤカード読み取り部３２が読み取った認証データと、ＩＣタグデータ読み取り手段１４１がＩＣタグ１０から読み取ったＩＣタグデータと、導電部材１３５が切断されたと判断した日時とを互いに関連付け、履歴データとして履歴記憶部５２に記憶する。これにより、履歴記憶部５２の履歴データを参照すれば、導電部材１３５が切断されたホルダ１３１を特定し、その不正が行われたホルダ１３１を誰がいつ返却したかを特定することができ、責任の所在を明らかにすることができる。
【０１１４】
ところで、返却者がホルダ１３１を正常に返却した場合、ＬＥＤ１３２は、点灯後、数ｍｓｅｃ消灯しただけで、再び点灯することを繰り返す。そのため、返却者は、残像効果により、ホルダ１３１のＬＥＤ１３２が連続点灯しているように見える。よって、返却者は、ＬＥＤ１３２の連続点灯状態から、鍵管理ボックス３０がホルダ１３１の正常な返却を認識したことを、視覚的に確認できる。
【０１１５】
一方、例えば、第１及び第２端子１１，１２に酸化膜が発生した場合、第１及び第２端子１１，１２と第１及び第２リード電極１４２，１４３に接触不良が発生する。この場合、第１及び第２端子１１，１２と第１及び第２リード電極１４２，１４３の接触状態が不安定になり、ＬＥＤ１３２が不規則に点滅する。よって、返却者は、ＬＥＤ１３２の不規則な点滅状態から、第１及び第２端子１１，１２に接触不良が発生し、鍵管理ボックス３０がホルダ１３１の正常な返却を認識していないことを、視覚的に確認できる。
【０１１６】
従って、本実施形態の鍵管理ボックス３０は、返却者は、異常発生時の責任を免れるために、ＬＥＤ１３２が連続点灯するように、ホルダ１３１を鍵管理ボックス３０に返却するようになるので、接触不良等による異常の誤検知を減らし、異常検知精度を向上させることができる。
【０１１７】
また、導電部材１３５が切断されたホルダ１３１は、鍵管理ボックス３０に返却されても、ＬＥＤ１３２が点灯しない。そのため、次に鍵管理ボックス３０を開けた者や鍵管理ボックス３０の管理者は、ホルダ１３１のＬＥＤ１３２が点灯しているか否かにより、導電部材１３５が切断されたホルダ１３１と導電部材１３５が切断されていないホルダ１３１とを簡単に見分けることができる。
【０１１８】
＜作用効果＞
よって、第８実施形態の鍵管理ボックス３０では、履歴データを参照すれば、導電部材１３５が切断されたホルダを特定し、そのホルダがいつ誰によって返却されたかを特定することができるので、セキュリティレベルが向上する。この結果、仮に、鍵１の返却者が、導電部材１３５を切断したホルダ１３１を鍵管理ボックス３０に返却した後、ＬＥＤ１３２が点灯するように、導電部材１３５を接続した場合であっても、履歴記憶部５２の履歴データから、導電部材１３５が切断されたホルダ１３１を特定し、当該ホルダ１３１の返却者と返却日時を特定できるようになる。
【０１１９】
また、第８実施形態の鍵管理ボックス３０は、個人認証に成功した場合に、開閉扉３１の開閉を許可して、ホルダ装着孔３５に装着されているホルダ１３１を外部に露出させるので、個人認証しない状態でホルダ１３１の導電部材１３５が切断されることがなく、導電部材１３５が切断された責任の所在を明らかにできる。
【０１２０】
（第９実施形態）
続いて、本発明の第９実施形態について説明する。図１９は、本発明の第９実施形態に係り、ホルダ１５１の概略構成を示す図である。
第９実施形態の鍵管理ボックス３０は、ホルダ１５１が複数（本実施形態では２個）のＩＣタグ１５２，１５３を備え、ＩＣタグデータの読み取り数によって、ホルダ１５１の未返却、ホルダ１５１の正常な返却、導電部材１５５を切断されたホルダ１５１の異常返却を区別して認識する。
【０１２１】
＜ホルダの概略構成＞
ホルダ１５１は、第１端子１１が陽極に切り換えられた場合に、電流が第１端子１１から第１ＩＣタグ１５２と第２ＩＣタグ１５３を介して第２端子１２へ流れて、第１及び第２ＩＣタグ１５２，１５３のＩＣタグデータが読み取られるように、電気回路が構成されている。また、ホルダ１５１は、第２端子１２が陽極に切り換えられた場合に、導電部材１５５が切断されていても、電流が第２端子１２からＬＥＤ１５７を介して第１端子１１へ流れるように、電気回路が構成されている。
【０１２２】
具体的には、ホルダ１５１は、ダイオード１５４により、第１端子１１から第１ＩＣタグ１５２を介して第２端子１２へ電流が流れるようになっている。ダイオード１５４には、第２ＩＣタグ１５３が並列に接続され、電流が、第２ＩＣタグ１５３から第３端子１３、導電部材１５５、第４端子１４を介して第２端子１２へ流れるようになっている。第１ＩＣタグ１５２には、ＬＥＤ１５７が並列に接続されている。ＬＥＤ１５７は、ダイオード１５６により、第２端子１２が陽極された場合に通電されて点灯するようになっている。
【０１２３】
＜動作説明＞
このような第９実施形態の鍵管理ボックス３０は、ＩＤカード読み取り部３２が読み取った認証データに基づいて開閉扉３１が開かれた後、プログラムにより、ＩＣタグデータ読み取り手段がホルダ１５１の第１及び第２端子１１，１２の電極を交互に切り換える。ホルダ１５１が返却されるまでは、返却するホルダ１５１の第１及び第２端子１１，１２がＩＣタグデータ読み取り手段に接触されないため、ＩＣタグデータ読み取り手段は、返却されるホルダ１５１の第１及び第２ＩＣタグ１５２，１５３からＩＣタグデータを読み取ることができない。すなわち、ＩＣタグデータの読み取り数が０個である。この場合、鍵管理ボックス３０は、ＩＣタグデータの読み取り数が０個のホルダ１５１に関し、未返却と判断する。
【０１２４】
鍵管理ボックス３０は、開閉扉３１が開かれた後、導電部材１５５が切断されずにホルダ１５１が返却されると、図示しないＩＣタグデータ読み取り手段が第１及び第２端子１１，１２に接触し、第１及び第２端子１１，１２の電極を交互に切り換える。第１端子１１が陽極にされている場合、第１端子１１に供給された電流は、第１ＩＣタグ１５２、ダイオード１５４を介して第２端子１２へ流れると共に、第１ＩＣタグ１５２とダイオード１５４の間から第２ＩＣタグ１５３へ分流し、第３端子１３、導電部材１５５、第４端子１４を介して第２端子１２へ流れる。そのため、ＩＣタグデータ読み取り手段は、ホルダ１５１の第１及び第２ＩＣタグ１５２，１５３からＩＣタグデータを読み取ることができる。すなわち、ＩＣタグデータの読み取り数が２個である。この場合、鍵管理ボックス３０は、２個のＩＣタグデータを取得したホルダ１５１に関し、導電部材１５５を切断されずに返却されたと判断する。そして、鍵管理ボックス３０は、ＩＤカード読み取り部３２が読み取った認証データと、返却されたホルダ１５１の第１及び第２ＩＣタグ１５２，１５３から読み取った２個のＩＣタグデータと、ホルダ１５１が返却された日時とを関連付けて、履歴データとして履歴記憶部５２に記憶する。これにより、履歴記憶部５２の履歴データを参照すれば、返却者がホルダ１５１を正常に返却したことを、確認できる。
【０１２５】
尚、ＩＣタグデータ読み取り手段が第２端子１２を陽極にすると、電流が第２端子１２からダイオード１５６、ＬＥＤ１５７を介して第１端子１１へ流れ、ＬＥＤ１５７が点灯する。ＩＣタグデータ読み取り手段が、例えば数ｍｓｅｃ間隔で第２端子１２を陽極にする場合、ＬＥＤ１５７は、人の目には残像効果により連続点灯しているように見える。
【０１２６】
これに対して、返却者がホルダ１５１の導電部材１５５を切断して鍵１をホルダ１５１から取り外した後、鍵管理ボックス３０の開閉扉３１を開いて当該ホルダ１５１を返却すると、図示しないＩＣタグデータが当該ホルダ１５１の第１及び第２端子１１，１２に接触する。図示しないＩＣタグデータ読み取り手段が第１端子１１を陽極に切り換えた場合、電流は、第１ＩＣタグ１５２、ダイオード１５４を介して第２端子１２へ流れるものの、第２ＩＣタグ１５３から第２端子１２へは流れない。そのため、ＩＣタグデータ読み取り手段は、第１ＩＣタグ１５２のＩＣタグデータしか読み取ることができない。すなわち、ＩＣタグデータの読み取り数は１個である。この場合、鍵管理ボックス３０は、第１ＩＣタグ１５２から読み取ったＩＣタグデータにより返却されたホルダ１５１を識別し、そのホルダ１５１の導電部材１５５が切断されていると判断する。そして、鍵管理ボックス３０は、ＩＤカード読み取り部３２が読み取った認証データと、第１ＩＣタグ１５２から読み取ったＩＣタグデータと、導電部材１５５が切断されたと判断した日時とを関連付けて、履歴データとして履歴記憶部５２に記憶する。これにより、履歴記憶部５２の履歴データを参照すれば、導電部材１５５が切断されたホルダ１５１を特定し、その特定したホルダ１５１がいつ誰が返却したものかを特定し、責任の所在を明らかにすることができる。
【０１２７】
鍵管理ボックス３０は、返却されたホルダ１５１の導電部材１５５が切断されていることを検知すると、導電部材１５５が切断されたホルダ１５１の第２端子１２を陽極にするパターンを、導電部材１５５が切断されていないホルダ１５１の第２端子１２を陽極にするパターンと変える。例えば、導電部材１５５が切断されたホルダ１５１の第２端子１２を陽極にする時間を、導電部材１５５が切断されていないホルダ１５１の第２端子１２を陽極にする時間より短くする。この場合、導電部材１５５が切断されたホルダ１５１は、ＬＥＤ１５７が点滅しているように見え、ＬＥＤ１５７が連続点灯する導電部材１５５が切断されていないホルダ１５１と、一目で区別される。このように、鍵管理ボックス３０は、導電部材１５５が切断されたホルダのＬＥＤ点灯方式と、導電部材１５５が切断されたホルダ１５１のＬＥＤ点灯方式を変え、導電部材１５５が切断されたことを警告するので、その後に鍵１を返却する者や鍵管理ボックス３０の管理者は、ＬＥＤ１５７の点灯方式（点滅又は連続点灯）の相違から、導電部材１５５が切断されたホルダ１５１を簡単に認識できる。
【０１２８】
＜作用効果＞
このように第９実施形態の鍵管理ボックス３０は、履歴データを参照すれば、導電部材１５５が切断されたホルダ１５１を特定し、そのホルダ１５１がいつ誰によって返却されたかを特定することができるので、セキュリティレベルが向上する。この結果、仮に、鍵１の返却者が、導電部材１５５を切断したホルダ１５１を鍵管理ボックス３０に返却した後、導電部材１５５を接続した場合であっても、履歴記憶部５２の履歴データから、導電部材１５５が切断されたホルダ１５１を特定し、当該ホルダ１５１の返却者と返却日時を特定できるようになる。
【０１２９】
また、第９実施形態の鍵管理ボックス３０は、個人認証に成功した場合に、開閉扉３１の開閉を許可して、ホルダ装着孔３５に装着されているホルダ１５１を外部に露出させるので、個人認証しない状態でホルダ１５１の導電部材１５５が切断されることがなく、導電部材１５５が切断された責任の所在を明らかにできる。
【０１３０】
（第１０実施形態）
続いて、本発明の第１０実施形態について説明する。図２０は、本発明の第１０実施形態に係り、ホルダ１６０内に設けられた電気回路のブロック図である。
従来技術に示す鍵管理ボックスは、ホルダ装着孔に装着されているキーホルダについて、ワイヤが切断されたか否かを検出できるものの、ホルダ装着孔から持ち出されたキーホルダについてワイヤの切断を検出することができなかった。具体的には、従来技術に示す鍵管理ボックスは、ホルダ装着孔から持ち出されたキーホルダが、ワイヤを切断された後、ワイヤの切断部分が接続され、その後、鍵管理ボックスに返却された場合、返却されたキーホルダのＩＣタグからＩＣタグデータを読み取ることができるため、ワイヤが切断されたことを検出できなかった。そのため、従来技術に示す鍵管理ボックスは、セキュリティレベルが低かった。
そこで、図２０に示すホルダ１６０は、フリップフロップ回路１７１（導電部材切断検出手段の一例）と、ホルダ１６０が鍵管理ボックス３０から持ち出された場合にフリップフロップ回路１７１の動作電源として利用されるコンデンサ１６９（動作電源の一例）を内蔵し、鍵管理ボックス３０から持ち出されている間に導電部材１７４が切断されたことを鍵管理ボックス３０が検出できるようにして、セキュリティレベルを引き上げている。この点を除き、ホルダ１６０とホルダ１６０を装着される鍵管理ボックス３０の構成は、第１実施形態と共通する。ここでは、第１実施形態と相違する点を中心に説明し、第１実施形態と共通する点は、図面及び説明の符号に第１実施形態と同じ符号を用い、適宜説明を省略する。
【０１３１】
第１０実施形態のホルダ１６０内の電気回路は、図２０に示すように、第１端子１６１と第２端子１６２と第３端子１６３と第４端子１６４を備える。第１及び第２端子１６１，１６２は、ホルダ１６０をホルダ装着孔３５に装着すると、鍵管理ボックス３０のＩＣタグデータ読み取り手段４２に接触する。鍵管理ボックス３０は、コントローラ４４がデータ読み取り手段４２を介して第１及び第２端子１６１，１６２の極性（陽極と陰極）を切り替える。第３及び第４端子１６３，１６４は、第１実施形態の第３及び第４端子１３，１４と導電部材１６との接触構造と同様にして、導電部材１７４と接触している。導電部材１７４は、ホルダ１６０の外部へ引き出され、メカニカルな鍵１が取り付けられる。導電部材１７４は、メカニカルな鍵に対して絶縁するために、第３及び第４端子１６３，１６４に接触する部分を除いて表面に絶縁コーティングが施されている。
【０１３２】
図２０に示すように、第１端子１６１と第２端子１６２の間には、ＩＣタグ１６５とＬＥＤ１６７が並列に設けられている。電気回路は、ＩＣタグ１６５とＬＥＤ１６７に逆向きの電流を流すように、ダイオード１６６，１６８が設けられている。具体的には、ダイオード１６６は、第１端子１６１を陽極、第２端子１６２を陰極とした場合に、ＩＣタグ１６５に電流を流すように、アノード側がＩＣタグ１６５に接続され、カソード側が第２端子１６２に接続されている。そして、ＬＥＤ１６７は、第１端子１６１を陰極、第２端子１６２を陽極とした場合に、電流が流れて点灯するように配置され、ダイオード１６８は、第１端子１６１からＬＥＤ１６７に電流が流れないように、アノード側が、ダイオード１６６と第２端子１６２との間の接点Ｐ１１に接続され、カソード側がＬＥＤ１６７に接続されている。
【０１３３】
接点Ｐ１１は、ダイオード１７０と第４端子１６４を介して導電部材１７４に接続され、導電部材１７４側へのみ電流を流すようになっている。ダイオード１７０と第４端子１６４との間の接点Ｐ１３は、コンデンサ１６９に接続され、接点Ｐ１１から接点Ｐ１３に供給された電流をコンデンサ１６９に充電できるようになっている。また、接点Ｐ１３と第４端子１６４との間の接点Ｐ１４は、フリップフロップ回路１７１に接続され、コンデンサ１６９からフリップフロップ回路１７１へ電流を供給するようになっている。
【０１３４】
フリップフロップ回路１７１は、Ｓｅｔポートが第３端子１６３を介して導電部材１７４に接続され、コンデンサ１６９の電圧が第４端子１６４と導電部材１７４と第３端子１６３を介してＳｅｔポートに作用するようになっている。第３端子１６３とＳｅｔポートとの間の接点Ｐ１７は、プルダウン抵抗１７３に接続され、Ｓｅｔポートに作用する電圧が所定電圧に調整されている。フリップフロップ回路１７１のＲｅｓｅｔポートは、ＩＣタグ１６５に接続され、フリップフロップ回路１７１を正常な状態にリセットする（Ａポートの出力をＬレベルにする）ためのＲｅｓｅｔ信号をＩＣタグ１６５から入力できるようになっている。ＲｅｓｅｔポートとＩＣタグ１６５との間の接点Ｐ１６は、プルアップ抵抗１７２を介して、第４端子１６４と接点Ｐ１４との間の接点Ｐ１５に接続され、Ｒｅｓｅｔポートに常時電圧が作用するようになっている。そして、フリップフロップ回路１７１のＡポートは、ＩＣタグ１６５に接続され、ＳｅｔポートとＲｅｓｅｔポートに作用する電圧によってＨレベルとＬレベルを切り替えられるようになっている。
【０１３５】
より具体的には、フリップフロップ回路１７１は、ＳｅｔポートがＨレベルからＬレベルに切り替えられると、Ａポートの出力がＨレベルにされる。
更に、フリップフロップ回路１７１は、、ＲｅｓｅｔポートがＩＣタグ１６５からＲｅｓｅｔ信号を入力してＬレベルにされると、Ａポートの出力がＨレベルからＬレベルに切り替えられてリセットされる。そして、ＳｅｔとＲｅｓｅｔがＨレベルである場合にはＡポートの状態は変化せず保持される。
【０１３６】
このような電気回路を備えるホルダ１６０は、次のように動作する。図２１〜図２６は、ホルダ１６０に内蔵される電気回路の動作を説明するための図である。
図２１に示すように、ホルダ１６０のコンデンサ１６９は、鍵管理ボックス３０のホルダ装着孔３５に装着されている間に、充電される。すなわち、ホルダ１６０は、第１及び第２端子１６１，１６２をＩＣタグデータ読み取り手段４２に接触させるように、鍵管理ボックス３０のホルダ装着孔３５に装着されている。鍵管理ボックス３０のコントローラ４４（異常発生記憶手段、出力リセット手段の一例）は、ホルダ１６０の第１端子１６１を陰極、第２端子１６２を陽極にするように、ＩＣタグデータ読み取り手段４２から第２端子１６２に電流を供給する。これにより、電流が、第２端子１６２から接点Ｐ１１、ダイオード１６８、ＬＥＤ１６７を介して第１端子１６１へ流れ、ＬＥＤ１６７を点灯させると共に、接点Ｐ１１からダイオード１７０を介してコンデンサ１６９へ流れ込む。
【０１３７】
図２２に示すように、鍵管理ボックス３０は、充電の合間に、コントローラ４４が、ホルダ１６０の第１端子１６１を陽極、第２端子１６２を陰極にするように、ＩＣタグデータ読み取り手段４２から第１端子１６１に電流を供給する。これにより、電流が第１端子１６１からＩＣタグ１６５を介して第２端子１６２へ流れ、ＩＣタグ１６５のＩＣタグデータが読み取られる。初めてホルダーを鍵管理ボックス３０に装着したときは、Ａポートが不定である可能性がある。鍵管理ボックス３０の管理者がホルダ１６０が正常であることを確認して初期化すると、コントローラ４４は、フリップフロップ回路１７１のＲｅｓｅｔポートをＬレベルにし、その後、Ｈレベルに戻すことを、ＩＣタグ１６５に命令する。これにより、フリップフロップ回路１７１のＡポートがＬレベルで正常な状態として保持される。このとき、充電されたコンデンサ１６９の電圧が第２端子１６２より高いため、電流は、ダイオード１７０で遮られてコンデンサ１６９へ流れない。
【０１３８】
コントローラ４４は、図２２に示すように、各ホルダ装着孔３５に設けたＩＣタグデータ読み取り手段４２に、第１端子１６１を数ｍｓｅｃ陽極にする命令を順次与え、ＩＣタグデータを読み取れるか否かによりホルダ１６０の有無を検出する。ＩＣタグデータ読み取る時間以外は、コントローラ４４は、図２１に示すように、各ホルダ装着孔３５に設けたＩＣタグデータ読み取り手段４２に、第２端子１６２を陽極にする命令を与え、コンデンサ１６９に充電を行う。
【０１３９】
図２３及び図２４に示すように、ホルダ１６０は、鍵管理ボックス３０から持ち出された後、コンデンサ１６９の電力を用いてフリップフロップ回路１７１を起動し、導電部材１７４の切断を監視する。具体的には、フリップフロップ回路１７１は、導電部材１７４の切断の有無にかかわらず、接点Ｐ１４を介してコンデンサ１６９から電流を供給されている。図２３に示すように、導電部材１７４が切断されていない場合には、フリップフロップ回路１７１は、ＳｅｔポートとＲｅｓｅｔポートにコンデンサ１６９の電圧が作用し、ＳｅｔポートとＲｅｓｅｔポートがＨレベルにされている。この場合、フリップフロップ回路１７１は、Ａポートの出力がＬレベルに保持されている。
【０１４０】
しかし、図２４に示すように、導電部材１７４が切断されると、フリップフロップ回路１７１は、コンデンサ１６９の電圧がＲｅｓｅｔポートに作用するものの、Ｓｅｔポートに作用しなくなる。つまり、ＳｅｔポートがＨレベルからＬレベルに切り替えられる。そのため、フリップフロップ回路１７１は、Ａポートの出力がＬレベルからＨレベルに切り替えられる。
【０１４１】
その後、図２４の点線に示すように、ホルダ１６０は、導電部材１７４の切断部分を接続されると、フリップフロップ回路１７１のＳｅｔポートにコンデンサ１６９の電圧が作用するようになり、ＳｅｔポートがＬレベルからＨレベルに切り替えられる。しかし、フリップフロップ回路１７１は、導電部材１７４の切断の有無にかかわらず、Ｒｅｓｅｔポートにコンデンサ１６９の電圧が常時作用し、ＲｅｓｅｔポートがＨレベルを維持している。そのため、フリップフロップ回路１７１は、導電部材１７４が切断部分を接続されて第３及び第４端子１６３，１６４を導通させても、Ａポートの出力をＨレベルに保持する。つまり、フリップフロップ回路１７１は、導電部材１７４が切断されたことを記憶する。
【０１４２】
図２５に示すように、ホルダ１６０は、導電部材１７４の切断部分が接続されてから鍵管理ボックス３０に返却されると、ＩＣタグデータ読み取り手段４２が第１端子１６１を陽極、第２端子１６２を陰極とした場合に、ＩＣタグ１６５からＩＣタグデータを読み取られる。このとき、鍵管理ボックス３０は、ＩＣタグ１６５に、フリップフロップ回路１７１がどのような出力を行っているか問い合わせる。返却者が、切断の痕跡が分からないように導電部材１７４の切断部分を接続したとしても、フリップフロップ回路１７１は、Ａポートの出力をＨレベルに保持している。そのため、ＩＣタグ１６５は、フリップフロップ回路１７１のＡポートがＨレベルである旨の信号を鍵管理ボックス３０に送信する。鍵管理ボックス３０は、フリップフロップ回路１７１のＡポートの出力がＨレベルであることから、ホルダ１６０が持ち出し中に導電部材１７４を切断されたことの異常を検出する。
【０１４３】
この場合、鍵管理ボックス３０は、使用者が開閉扉３１を開閉する場合にＩＤカード読み取り部３２がＩＤカードから読み取ったＩＤデータ（認証データ）に、ＩＣタグデータ読み取り手段４２がＩＣタグ１６５から読み取ったＩＣタグデータと、導電部材１７４が切断されたことと、当該ホルダ１６０の持ち出し時間及び返却時間を関連付けて履歴記憶部５２に記憶する。これにより、履歴記憶部５２には、誰が・いつ・どのホルダ１６０の導電部材１７４を切断したかという履歴が残る。
【０１４４】
その後、鍵管理ボックス３０は、図２６に示すように、フリップフロップ回路１７１のＲｅｓｅｔポートをＬレベルにする命令をＩＣタグ１６５に与える。ＩＣタグ１６５は、命令に従ってＲｅｓｅｔ信号をフリップフロップ回路１７１に送信する。フリップフロップ回路１７１は、Ｒｅｓｅｔ信号がＲｅｓｅｔポートに入力すると、ＲｅｓｅｔポートをＨレベルからＬレベルに切り替える。すると、フリップフロップ回路１７１は、Ａポートの出力をＨレベルからＬレベルに切り替える。この状態において、鍵管理ボックス３０がＩＣタグ１６５にフリップフロップ回路１７１の出力を問い合わせた場合、ＩＣタグ１６５は、フリップフロップ回路１７１のＡポートの出力がＬレベルであることを検知し、その旨を鍵管理ボックス３０へ送信する。そのため、鍵管理ボックス３０は、当該ホルダ１６０の導電部材１７４が切断されたことを検知しなくなる。
【０１４５】
よって、例えば、使用者が、ＩＤカード読み取り部３２にＩＤカードを読み取らせて開閉扉３１を開き、アクセス権のあるホルダ１６０を正当に鍵管理ボックス３０から持ち出し、持ち出したホルダ１６０の導電部材１７４を切断してメカニカルな鍵１を導電部材１７４から取り外し、取り外した鍵１を不正に複製した後、取り外した鍵１を切断した導電部材１７４に通して導電部材１７４の切断部分を元通りに接続したとする。ホルダ１６０は、導電部材１７４が切断されたときに、フリップフロップ回路１７１のＡポートの出力がＬレベルからＨレベルに切り替えられ、導電部材１７４の切断部分を接続された後も、その出力を保持している。
【０１４６】
この場合、使用者が当該ホルダ１６０を鍵管理ボックス３０へ返却すると、コントローラ４４がＩＣタグデータ読み取り手段４２から返却されたホルダ１６０の第１端子１６１に電流を供給する。ホルダ１６０は、第１端子１６１からＩＣタグ１６５を介して第２端子１６２へ電流が流れ、ＩＣタグデータ読み取り手段４２にＩＣタグデータを読み取られる。これにより、コントローラ４４はホルダ１６０が返却されたことを検出する。
【０１４７】
その後、コントローラ４４が、返却されたホルダ１６０のＩＣタグ１６５にフリップフロップ回路１７１の出力を問い合わせると、ＩＣタグ１６５から、フリップフロップ回路１７１の出力がＨレベルであることを受信する。これにより、コントローラ４４は、返却されたホルダ１６０の導電部材１７４がホルダ１６０の持ち出し中に切断されたことを検出する。そこで、コントローラ４４は、ＩＤデータ読み取り部３２が読み取ったＩＤデータに、当該ホルダ１６０のＩＣタグ１６５から読み取ったＩＣタグデータと、導電部材１７４が切断されたことと、当該ホルダ１６０の持ち出し時間と返却時間を関連付けて、履歴記憶部５２に記憶する。
【０１４８】
この結果、例えば、次に開閉扉３１を開いた者が、導電部材１７４の切断に気付かないような場合であっても、鍵管理ボックス３０は、履歴記憶部５２の履歴データから、誰が・いつ・どのホルダ１６０の導電部材１７４を切断したかを特定できる。このように、本実施形態の鍵管理ボックス３０及びホルダ１６０によれば、鍵管理ボックス３０から取り外されたホルダ１６０について導電部材１７４が切断されたことを検出できるので、セキュリティレベルを引き上げることができる。
【０１４９】
そして、上記鍵管理ボックス３０は、導電部材１７１の切断部分を接続されたホルダ１６０がホルダ装着孔３５に装着されている間に、当該ホルダ１６０のフリップフロップ回路１７１のＡポートの出力を、異常状態を示すＨレベルから、導電部材１７１が切断されていない正常な状態の出力（Ｌレベル）にリセットするので、切断部分を接続されたホルダ１６０を新品に交換しなくても、導電部材１７４の切断を引き続き監視することができる。
【０１５０】
＜変形例＞
尚、本発明は、上記実施形態に限定されることなく、色々な応用が可能である。
（１）例えば、履歴記憶部５２に、異常を検知したホルダのＩＣタグデータと扉開閉時間とを認証データに関連付けて、異常検知情報として記憶しても良い。
（２）例えば、上記実施形態では、開閉扉３１を閉じた後、又は、開閉扉３１を開いてから設定時間を経過した後に、ホルダ２の有無を検知してホルダ２の異常を調べたが、扉ロック部２７が開閉扉３１の開閉を許可した後、開閉扉３１が閉じられるまで、ホルダ２の有無を検知してホルダ２の異常を調べても良い。
（３）例えば、上記実施形態では、ＩＤカードを認証媒体の一例に挙げて個人認証したが、個人認証は、指紋認証や静脈認証、顔認証、声紋認証、暗証番号入力などにより行っても良い。
（４）例えば、上記第１実施形態では、導電部材１６の両端部１６ａ，１６ｂをケース１５に挿入して導電部材６１をケース１５に取り付けたが、両端部１６ａ，１６ｂを第３及び第４端子１３，１４に接触させるように導電部材１６を配置してケース１５をインサート成形しても良い。
（５）上記第４実施形態では、係止部材７４をスライド可能に設けたが、図２７に示すように、金属製の係止部材（係止部の一例）１０３を回動可能に設けても良い。係止部材１０３は、ケース１０２の係止部材配置孔１０２ｂ内に立設された金属製の回転軸１０４に回動自在に保持されている。回転軸１０４は、第２端子１２に通電可能に接続されている。係止部材１０３は、係止凸片１０３ａを、導電部材７６の一端にかしめ固定した係合部材７７の係合溝７７ｂに係合させることにより、係合溝７７ｂに係止凸片１０３ａを係合させた導電部材７６が挿入孔７２ａから抜けないようにしている。圧縮ばね１０５は、係止部材１０３を、挿入孔７２ａの底側へ回転するように常時付勢し、係合部材７７を挿入孔７２ａから抜こうとした場合に抵抗力を発生する。尚、この場合、係止凸片１０３ａに切り欠き溝１０３ｂを形成し、係合部材７７を挿入孔７２ａから抜く方向に過剰な力が作用すると、係止部材１０３が破壊されるようにしても良い。
（６）上記第５実施形態では、挿入孔８２ａ，８２ｂに各１個ずつピニオン８３を設けたが、図２８に示すように、挿入孔８２ａ，８２ｂにピニオン８３を複数（ここでは各２個ずつ）設けても良い。この場合、各ピニオン８３Ａ〜８３Ｄに接続する端子１１，１２，１１１，１１２をケース８２に設け、ピニオン８３Ａ〜８３Ｄの全てにラック８５を接触させなければ、端子１１，１２，１１１，１１２に電流を流してＩＣタグデータを読み取れないようにしても良い。これによれば、ラック８５がピニオン８３Ａ〜８３Ｄに接触する正しい位置に配置されていないと、ホルダ１１０を検知できないため、ホルダ１１０の異常を早期に発見できる。
（７）上記第６実施形態では、導電部材９６の一端にかしめ固定した係合部材９７と、第１端子１１に接続する配線にかしめ固定されてケース９２に固定された第３端子９３とを係合可能に設けたが、導電部材９６と第１端子１１に接続する配線の接続部分にかしめ部材を装着し、そのかしめ部材をかしめることにより、導電部材９６をＩＣタグ１０を介して第１端子１１に通電させるようにしても良い。また、図１５に示す係合部材９７と第３端子９３の接触部分に接着剤を塗布し、分離しにくくしても良い。
（８）例えば、上記第８及び第９実施形態のホルダ１３１，１４１に、上記第４乃至第７実施形態の導電部材接続構造を適用し、導電部材１３５，１５５を無理に引き抜いた痕跡がホルダ１３１，１５１に残るようにしても良い。
（９）例えば、上記第８及び第９実施形態の鍵管理ボックス３０の開閉扉３１をなくしても良い。この場合、ホルダ１３１，１５１を装着するホルダ装着孔３５にロック手段を設け、ＩＤカード読み取り部３２が読み取った認証データに基づいて個人認証を行い、認証に成功した者が有するアクセス権に基づいてロック手段を解除し、ホルダ１３１，１５１を着脱できるようにするとよい。
（１０）上記第１０実施形態では、フリップフロップ回路１７１の動作電源としてコンデンサ１６９を用いたが、コンデンサ１６９の代わりにホタン電池を利用しても良い。また、コンデンサ１６９は、ボタン電池や太陽電池などで充電しても良い。
【符号の説明】
【０１５１】
１  鍵
２，７１，８１，９１，１０１、１１０，１２１，１３１，１５１，１６０  ホルダ
３  本体
１０，１６５  ＩＣタグ
１１，１２，１６１，１６２  第１及び第２端子（２本の端子の一例）
１３，１４，１６３，１６４  第３及び第４端子（第１及び第２導電用端子の一例）
１６，１２４，１３５，１５５  導電部材
２７  開閉許可手段
３０  鍵管理ボックス
３１  開閉扉
３２  ＩＤカード読み取り部
３６  開閉検知手段
４１  ホルダロック手段
４２，１４１  ＩＣタグデータ読み取り手段
４４，６１  コントローラ（認証手段、開閉許可手段、ホルダ有無検知手段、異常検知情報記憶手段、ホルダ貸出情報記憶手段、異常警告手段、異常発生記憶手段の一例）
４８  アクセス権記憶部（アクセス権記憶手段）
５５  コントローラ（認証手段、開閉許可手段、ホルダ有無検知手段、異常検知情報記憶手段、ホルダ貸出情報記憶手段、ホルダロック解除手段、異常警告手段の一例）
６２  タイマ
７４、９５、１０３  係止部材（係止部の一例）
８３Ａ，８３Ｂ  ピニオン
８５  ラック（導電部材の一例）
１２３  係止ナット部材（係止部の一例）
１６９  コンデンサ（動作電源の一例）
１７１  フリップフロップ回路（導電部材切断検出手段の一例）
【図１】
2011214347.tif 000003
【図２】
2011214347.tif 000004
【図３】
2011214347.tif 000005
【図４】
2011214347.tif 000006
【図５】
2011214347.tif 000007
【図６】
2011214347.tif 000008
【図７】
2011214347.tif 000009
【図８】
2011214347.tif 000010
【図９】
2011214347.tif 000011
【図１０】
2011214347.tif 000012
【図１１】
2011214347.tif 000013
【図１２】
2011214347.tif 000014
【図１３】
2011214347.tif 000015
【図１４】
2011214347.tif 000016
【図１５】
2011214347.tif 000017
【図１６】
2011214347.tif 000018
【図１７】
2011214347.tif 000019
【図１８】
2011214347.tif 000020
【図１９】
2011214347.tif 000021
【図２０】
2011214347.tif 000022
【図２１】
2011214347.tif 000023
【図２２】
2011214347.tif 000024
【図２３】
2011214347.tif 000025
【図２４】
2011214347.tif 000026
【図２５】
2011214347.tif 000027
【図２６】
2011214347.tif 000028
【図２７】
2011214347.tif 000029
【図２８】
2011214347.tif 000030